(57)【要約】【課題】無駄な加湿運転を防止するようにした空調システムを提供する。【解決手段】空調システム（1）は、第１調湿装置（10）と、第２調湿装置（20）と、第１空調機（30）と、第２空調機（40）と、連動制御手段（3）とで構成されている。第１調湿装置（10）は、室内のペリメータゾーンを加湿し、第２調湿装置（20）は、室内のインテリアゾーンを加湿する。第１空調機（30）は、室内のペリメータゾーンを冷暖房し、第２空調機（40）は、室内のインテリアゾーンを冷暖房する。そして、結露発生情報が入力されると、連動制御手段（3）は、第１調湿装置（10）に対して結露除去運転を実行させ、第２調湿装置（20）、第１空調機（30）及び第２空調機（40）に対しては結露発生情報の入力時の運転を続行させる。【選択図】図１
2006329600.tif 000002
【特許請求の範囲】
【請求項１】
室内のペリメータゾーンに加湿空気を供給して加湿する第１調湿装置（10）と、室内のインテリアゾーンに加湿空気を供給して加湿する第２調湿装置（20）とを備えた空調システムであって、
室内における結露発生情報を入力するための入力手段（11）と、
上記入力手段からの結露発生情報に基づいて、上記第１調湿装置（10）に対して供給空気の相対湿度を低下させて上記結露を除去するための結露除去運転を実行させ、上記第２調湿装置（20）に対して上記加湿運転を続行させる連動制御手段（3）とを備えている
ことを特徴とする空調システム。
【請求項２】
請求項１において、
上記連動制御手段（3）は、室外温度と室外湿度と室内湿度とに基づいて、上記結露除去運転のモードを決定するように構成されている
ことを特徴とする空調システム。
【請求項３】
請求項２において、
上記結露を除去する運転モードは、上記結露発生情報の入力前の加湿量よりも少ない加湿量を、上記ペリメータゾーンに供給するモードである
ことを特徴とする空調システム。
【請求項４】
請求項２において、
吸着剤が担持された吸着部材と、
上記吸着部材を少なくとも加熱するための熱源手段と、
を備え、
上記吸着剤と接触させて加湿された空気を室内に供給する加湿モードと、上記吸着部材で加温された空気を室内に供給する暖房モードとを少なくとも行う一方、
上記結露除去運転のモードは、上記暖房モードである
ことを特徴とする空調システム。
【請求項５】
請求項２において、
吸着剤が担持された吸着部材と、
上記吸着部材を少なくとも加熱するための熱源手段と、
を備え、
上記吸着剤と接触させて加湿された空気を室内に供給する加湿モードと、上記吸着剤と接触させて除湿された空気を室外に排気する除湿モードとを少なくとも行う一方、
上記結露除去運転のモードは、上記除湿モードである
ことを特徴とする空調システム。
【請求項６】
室内を加湿する調湿装置（10）と、室内を冷暖房する空調機（30）とを備えた空調システムであって、
室内の結露発生情報を入力する入力手段（11）と、
上記入力手段（11）からの結露発生情報に基づいて、上記空調機（30）に対して室内の相対湿度を低下させて結露を除去する結露除去運転を実行させ、上記調湿装置（10）に対して加湿運転を続行させる連動制御手段（7）とを備えている
ことを特徴とする空調システム。
【請求項７】
請求項６において、
上記調湿装置は、室内のペリメータゾーンを加湿する第１調湿装置（10）と、室内のインテリアゾーンを加湿する第２調湿装置（20）とを備え、
上記調湿装置は、室内のペリメータゾーンを冷暖房する第１空調機（30）と、室内のインテリアゾーンを冷暖房する第２空調機（40）とを備え、
上記連動制御手段（7）は、上記第１空調機（30）に結露除去運転を実行させ、上記第１調湿装置（10）と上記第２調湿装置（20）と上記第２空調機（40）とには結露発生情報の入力時の運転を続行させるように構成されている
ことを特徴とする空調システム。
【請求項８】
請求項６または７において、
上記結露除去運転のモードは、冷房モードである
ことを特徴とする空調システム。
【請求項９】
請求項６または７において、
上記結露除去運転のモードは、上記結露発生情報の入力前よりも上記ペリメータゾーンを加温させるモードである
ことを特徴とする空調システム。
【請求項１０】
請求項６または７において、
上記連動制御手段（7）は、上記調湿装置（10）に対して、上記結露発生情報の入力前の加湿量よりも少ない加湿量を、上記ペリメータゾーンに供給させるように構成されている
ことを特徴とする空調システム。
【発明の詳細な説明】
【技術分野】
【０００１】
本発明は、空調システムに関し、特に、結露対策に係るものである。
【背景技術】
【０００２】
従来より、空調機と換気装置とを有する空調システムが知られている。そして、換気装置の一種として、除湿した空気を室外に放出し、加湿した空気を室内に供給する加湿運転を行う調湿装置が知られている。
【０００３】
例えば、特許文献１には、吸着剤が水分の吸着と脱離とを行うことにより空気の湿度を調節する調湿装置が開示されている。この調湿装置は、第１の熱交換器と、第２の熱交換器と、冷媒が循環して蒸気圧縮式冷凍サイクルを行い、第１及び第２熱交換器で冷媒の凝縮と蒸発とを交互に行う冷媒回路を備えている。また、吸着剤が、第１熱交換器及び第２熱交換器の表面に担持されている。そして、上記調湿装置は、第１熱交換器において室内空気から水分を吸着すると同時に、第２熱交換器において室外空気を加湿して室内に供給する運転と、第２熱交換器において室内空気から水分を吸着すると同時に、第１熱交換器において室外空気を加湿して室内に供給する運転を交互に行い、加湿運転を行う、と記載されている。
【特許文献１】特開２００４−２９４０４８号公報
【発明の開示】
【発明が解決しようとする課題】
【０００４】
ところで、上記調湿装置の加湿運転時において、建家における窓面には、結露が生じる場合がある。この結露の発生時においては、調湿装置から供給された加湿空気の水分は、結露となるのみで、室内空気の湿度は、上昇しない。しかし、従来の上記調湿装置は、結露について何らの対策もなされていないので、結露が発生していても、室内空気の湿度値を設定湿度値にするために加湿運転を行い続ける。その結果、無駄な加湿運転が行われるという問題があった。
【０００５】
本発明は、かかる点に鑑みてなされたものであり、その目的とするところは、無駄な加湿運転を防止するようにした空調システムを提供することにある。
【課題を解決するための手段】
【０００６】
第１の発明は、室内のペリメータゾーンに加湿空気を供給して加湿する第１調湿装置（10）と、室内のインテリアゾーンに加湿空気を供給して加湿する第２調湿装置（20）とを備えた空調システムである。そして、室内における結露発生情報を入力するための入力手段（11）と、上記入力手段からの結露発生情報に基づいて、上記第１調湿装置（10）に対して供給空気の相対湿度を低下させて上記結露を除去するための結露除去運転を実行させ、上記第２調湿装置（20）に対して上記加湿運転を続行させる連動制御手段（3）とを備えている。
【０００７】
第１の発明では、この加湿運転時において、結露が生じると、ユーザは、リモコンなどの入力手段により、設定湿度を下げることになる。又は、ユーザは、結露スイッチなどにより結露情報を入力する。つまり、入力手段から結露に関する情報が入力される。この結露情報に基づいて、第１調湿装置（10）は、室内の相対湿度を低下させる結露除去運転を行う。この結果、室内の結露が抑制され、無駄な加湿運転が防止される。
【０００８】
第２の発明は、上記第１の発明において、上記連動制御手段（3）は、室外温度と室外湿度と室内湿度とに基づいて、上記結露除去運転のモードを決定するように構成されている。
【０００９】
第２の発明では、連動制御手段（3）は、室外温度と室外湿度と室内湿度とに基づき、結露除去運転のモードを決定する。この結果、確実に結露を除去することができる。
【００１０】
第３の発明は、上記第２の発明において、上記結露を除去する運転モードは、上記結露発生情報の入力前の加湿量よりも少ない加湿量を、上記ペリメータゾーンに供給するモードである。
【００１１】
第３の発明では、結露発生情報が入力されると、第１調湿装置（10）から室内に供給される加湿量は減少する。そのため、結露の発生量を減らすことができる。この結果、無駄な加湿運転を防止することができる。
【００１２】
第４の発明は、上記第２の発明において、吸着剤が担持された吸着部材と、上記吸着部材を少なくとも加熱するための熱源手段と、を備え、上記吸着剤と接触させて加湿された空気を室内に供給する加湿モードと、上記吸着部材で加温された空気を室内に供給する暖房モードとを少なくとも行う一方、上記結露除去運転のモードは、上記暖房モードである。
【００１３】
第４の発明では、第１調湿装置（10）が除湿運転を行うため、ペリメータゾーンは除湿される。この結果、結露を除去することができ、無駄な加湿運転を防止することができる。
【００１４】
第５の発明は、上記第２の発明において、吸着剤が担持された吸着部材と、上記吸着部材を少なくとも加熱するための熱源手段と、を備え、上記吸着剤と接触させて加湿された空気を室内に供給する加湿モードと、上記吸着剤と接触させて除湿された空気を室外に排気する除湿モードとを少なくとも行う一方、上記結露除去運転のモードは、上記除湿モードである。
【００１５】
第５の発明では、第１調湿装置（10）が暖房運転を行うため、窓面の温度が上昇し、露点温度が上昇する。この結果、結露は蒸発し、無駄な加湿運転を防止することができる。
【００１６】
第６の発明は、室内を加湿する調湿装置（10）と、室内を冷暖房する空調機（30）とを備えた空調システムである。そして、室内の結露発生情報を入力する入力手段（11）と、上記入力手段（11）からの結露発生情報に基づいて、上記空調機（30）に対して室内の相対湿度を低下させて結露を除去する結露除去運転を実行させ、上記調湿装置（10）に対して加湿運転を続行させる連動制御手段（7）とを備えている。
【００１７】
第６の発明では、加湿運転時において、結露が生じると、ユーザは、リモコンなどの入力手段により、結露を除去することになる。又は、ユーザは、結露スイッチなどにより結露情報を入力する。つまり、入力手段から結露に関する情報が入力される。この結露情報に基づいて、空調機（30）は、室内の相対湿度を低下させる結露除去運転を行う。この結果、室内の結露が抑制され、無駄な加湿運転が防止される。
【００１８】
第７の発明は、上記第６の発明において、上記調湿装置は、室内のペリメータゾーンを加湿する第１調湿装置（10）と、室内のインテリアゾーンを加湿する第２調湿装置（20）とを備え、上記調湿装置は、室内のペリメータゾーンを冷暖房する第１空調機（30）と、室内のインテリアゾーンを冷暖房する第２空調機（40）とを備え、上記連動制御手段（7）は、上記第１空調機（30）に結露除去運転を実行させ、上記第１調湿装置（10）と上記第２調湿装置（20）と上記第２空調機（40）とには結露発生情報の入力時の運転を続行させるように構成されている。
【００１９】
第７の発明では、第１空調機（30）が結露除去運転を実行するため、確実に結露を除去することができる。
【００２０】
第８の発明は、上記第６または第７の発明において、上記結露除去運転のモードは、冷房モードである。
【００２１】
第８の発明では、空調機（30）が冷房運転を行うため、室内空気は冷やされるとともに除湿される。この結果、結露を除去することができ、無駄な加湿運転を防止することができる。
【００２２】
第９の発明は、上記第６または第７の発明において、上記結露除去運転のモードは、上記結露発生情報の入力前よりも上記ペリメータゾーンを加温させるモードである。
【００２３】
第９の発明では、結露発生情報の入力により、空調機（30）が室内温度を設定温度よりも高くなるように暖房運転を行う。そのため、窓面の温度が上昇し、露点温度が上昇する。この結果、結露を除去することができ、無駄な加湿運転を防止することができる。
【００２４】
第１０の発明は、上記第６または第７の発明において、上記連動制御手段（7）は、上記調湿装置（10）に対して、上記結露発生情報の入力前の加湿量よりも少ない加湿量を、上記ペリメータゾーンに供給させるように構成されている。
【００２５】
第１０の発明では、結露発生情報の入力により、調湿装置から室内に供給される加湿量を減少させることができる。この結果、上記第１の発明のように第１調湿装置が結露除去運転を行う場合や上記第６の発明のように空調機が結露除去運転を行う場合に比べて、結露の発生量を減少させることができ、無駄な加湿運転を防止することができる。
【発明の効果】
【００２６】
本発明によれば、結露が発生すると、第１調湿装置（10）が結露除去運転を行うようにしたため、無駄な運転を抑制することができる。この結果、省エネルギー化を図ることができる。
【００２７】
また、上記第２の発明によれば、室外空気及び室内空気の条件から、最適な結露除去運転のモードを決定する。この結果、結露が確実に除去される。
【００２８】
また、上記第３の発明によれば、結露発生情報の入力により、第１調湿装置（10）から室内に供給される加湿量を減少させることができる。この結果、無駄な運転を抑制でき、省エネルギー化を図ることができる。
【００２９】
また、上記第４の発明によれば、第１調湿装置（10）が除湿運転を行うため、室内の絶対湿度を低下させることができ、結露を除去することができる。
【００３０】
また、上記第５の発明によれば、第１調湿装置（10）が暖房運転を行うため、室内の相対湿度を低下させることができ、結露を除去することができる。
【００３１】
また、上記第６の発明によれば、結露が発生すると、空調機（30）が結露除去運転を行うようにしたため、無駄な運転を抑制することができる。この結果、省エネルギー化を図ることができる。
【００３２】
また、上記第７の発明によれば、第１空調機（30）が結露除去運転を行うようにしたため、無駄な運転を確実に抑制することができる。
【００３３】
また、上記第８の発明によれば、空調機（30）または第１空調機（30）が冷房運転を行うため、室内の絶対湿度を低下させることができ、結露を除去することができる。
【００３４】
また、上記第９の発明によれば、室内温度が設定温度よりも高くなるように空調機（30）または第１空調機（30）が暖房運転を行うため、室内の相対湿度をさらに低下させることができ、結露を除去することができる。
【００３５】
また、上記第１０の発明によれば、空調機（30）または第１空調機（30）による結露除去運転だけでなく調湿装置の加湿運転をセーブすることができるため、上記第１から第９の発明よりもさらに室内の相対湿度を低下させることができ、結露を除去できる。
【発明を実施するための最良の形態】
【００３６】
《発明の実施形態１》
本発明の実施形態１について説明する。本実施形態は、図１に示すように、除湿した空気を室内へ供給する除湿運転と、加湿した空気を室内へ供給する加湿運転とが可能な調湿装置と、室内空気を冷却する冷房運転と室内空気を加温する暖房運転とが可能な空調機とを有する空調システムに適用したものである。
【００３７】
上記空調システム（1）は、第１調湿装置（10）と、第２調湿装置（20）と、第１空調機（30）と、第２空調機（40）と、連動制御手段（3）とを備えている。第１調湿装置（10）は、加湿空気をペリメータゾーンへ供給し、入力手段（11）と第１調湿コントローラ（60）とを備えている。第２調湿装置（20）は、加湿空気をペリメータゾーン以外のゾーンへ供給し、入力手段（21）と第２調湿コントローラ（70）とを備えている。第１空調機（30）は、ペリメータゾーンを冷却または加温し、入力手段（31）と第１空調コントローラ（80）とを備えている。第２空調機（40）は、ペリメータゾーン以外のゾーンを冷却または加温し、入力手段（41）と第２空調コントローラ（90）とを備えている。連動制御手段（3）は、各入力手段（11,21,31,41）に接続されており、第１及び第２調湿コントローラ（60,70）と第１及び第２空調コントローラ（80,90）とに接続されている。
【００３８】
なお、上記各入力手段（11,21,31,41）は、各調湿装置（10,20）と各空調機（30,40）とに設けるようにしたが、リモコンなどの１つの入力手段で構成してもよい。
【００３９】
上記第１及び第２調湿装置（10,20）は、各々、図２に示すように、冷媒回路（50）を備えている。各冷媒回路（50）は、第１吸着熱交換器（51）、第２吸着熱交換器（52）、圧縮機（53）、四方切換弁（54）、及び電動膨張弁（55）が設けられた閉回路である。各冷媒回路（50）は、充填された冷媒を循環させることによって、蒸気圧縮冷凍サイクルを行う。
【００４０】
上記各冷媒回路（50）において、圧縮機（53）は、その吐出側が四方切換弁（54）の第１のポートに、その吸入側が四方切換弁（54）の第２のポートにそれぞれ接続されている。各第１吸着熱交換器（51）の一端は、四方切換弁（54）の第３のポートに接続されている。各第１吸着熱交換器（51）の他端は、電動膨張弁（55）を介して第２吸着熱交換器（52）の一端に接続されている。各第２吸着熱交換器（52）の他端は、四方切換弁（54）の第４のポートに接続されている。
【００４１】
上記各四方切換弁（54）は、第１のポートと第３のポートが連通して第２のポートと第４のポートが連通する第１状態（図２(Ａ)に示す状態）と、第１のポートと第４のポートが連通して第２のポートと第３のポートが連通する第２状態（図２(Ｂ)に示す状態）とに切り換え可能となっている。
【００４２】
図３に示すように、各第１吸着熱交換器（51）及び各第２吸着熱交換器（52）は、何れもクロスフィン型のフィン・アンド・チューブ熱交換器によって構成されている。これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、各フィン（57）を貫通するように設けられている。
【００４３】
上記各吸着熱交換器（51,52）では、各フィン（57）の表面に吸着剤が担持されて吸着部材を構成し、フィン（57）の間を通過する空気がフィン（57）の表面の吸着剤と接触する。この吸着剤としては、ゼオライト、シリカゲル、活性炭、親水性の官能基を有する有機高分子材料など、空気中の水蒸気を吸着できるものが用いられる。
【００４４】
第１及び第２調湿装置（10,20）は、各々、上述のように、第１及び第２調湿コントローラ（60,70）を備えている。上記第１及び第２調湿コントローラ（60,70）は、各々、第１及び第２加湿運転制御手段（61,71）を備えている。また、上記第１及び第２調湿コントローラー（60,70）には、各々、図示しないが、外気温度を検出する外気温度センサと、外気湿度を検出する外気湿度センサと、室内温度を検出する室内温度センサと、室内湿度を検出する室内湿度センサから、温湿度情報が入力されている。
【００４５】
上記第１加湿運転制御手段（61）は、連動制御手段（3）により、加湿セーブ運転と、除湿運転と、暖房運転とに切り換わるように構成されている。
【００４６】
上記加湿セーブ運転は、冷媒回路（50）内を循環させる冷媒量を減少させて、室内に供給される加湿量を減少させる運転である。
【００４７】
上記除湿運転は、一方の吸着熱交換器で室外空気を除湿して室内に供給する一方、他方の吸着熱交換器で室内空気に水分を放出して室外に排気する運転である。
【００４８】
上記暖房運転は、一方の吸着熱交換器で室外空気を加温して室内に供給する一方、他方の吸着熱交換器で室内空気を冷却して室外に排気する運転である。
【００４９】
上記第２加湿運転制御手段（71）は、結露発生情報が入力されても、ユーザが設定した運転モード（加湿運転モード）を行うように構成されている。
【００５０】
第１及び第２空調機（30,40）は、各々、上述のように、第１及び第２空調コントローラ（80,90）を備えている。上記第１及び第２空調コントローラ（80,90）は、各々、第１及び第２空調運転制御手段（81,91）を備えている。また、上記第１及び第２空調コントローラー（80,90）には、各々、図示しないが、外気温度を検出する外気温度センサと、外気湿度を検出する外気湿度センサと、室内温度を検出する室内温度センサと、室内湿度を検出する室内湿度センサから、温湿度情報が入力されている。
【００５１】
上記第１及び第２空調制御手段（81,91）は、結露発生情報が入力されても、ユーザが設定した運転モードを行うように構成されている。
【００５２】
上記連動制御手段（3）は、入力手段（11,21,31,41）からの結露発生情報の入力により、室外温度と室外湿度と室内湿度とに基づいて、結露除去運転のモードを決定し、第１調湿装置（10）に対して結露除去運転のモードを実行させる一方、第２調湿装置（20）と第１及び第２空調機（30,40）とに対してはユーザが設定した運転モードを実行させるように構成されている。
【００５３】
−運転動作−
まず、本実施形態の空調システムにおける第１及び第２調湿装置（10,20）での除湿運転及び加湿運転について示す。
【００５４】
上記第１及び第２調湿装置（10,20）では、各々、除湿運転と加湿運転とが行われる。除湿運転中や加湿運転中の第１及び第２調湿装置（10,20）は、各々、取り込んだ室外空気（OA）を調湿してから供給空気（SA）として室内へ供給すると同時に、取り込んだ室内空気（RA）を排出空気（EA）として室外へ排出する。つまり、除湿運転中や加湿運転中の第１及び第２調湿装置（10,20）は、各々、室内の換気を行っている。また、上記第１及び第２調湿装置（10,20）は、各々、除湿運転中と加湿運転中の何れにおいても、第１動作と第２動作を所定の時間間隔（例えば３分間隔）で交互に繰り返す。
【００５５】
上記第１及び第２調湿装置（10,20）は、各々、除湿運転中であれば第１空気として室外空気（OA）を、第２空気として室内空気（RA）をそれぞれ取り込む。また、上記第１及び第２調湿装置（10,20）は、各々、加湿運転中であれば第１空気として室内空気（RA）を、第２空気として室外空気（OA）をそれぞれ取り込む。
【００５６】
先ず、第１動作について説明する。第１動作中には、各第１吸着熱交換器（51）へ第２空気が、各第２吸着熱交換器（52）へ第１空気がそれぞれ送り込まれる。この第１動作では、各第１吸着熱交換器（51）についての再生動作と、各第２吸着熱交換器（52）についての吸着動作とが行われる。
【００５７】
図２(Ａ)に示すように、第１動作中の各冷媒回路（50）では、四方切換弁（54）が第１状態に設定される。各圧縮機（53）を運転すると、各冷媒回路（50）内で冷媒が循環する。具体的に、各圧縮機（53）から吐出された冷媒は、第１吸着熱交換器（51）で放熱して凝縮する。各第１吸着熱交換器（51）で凝縮した冷媒は、電動膨張弁（55）を通過する際に減圧され、その後に第２吸着熱交換器（52）で吸熱して蒸発する。各第２吸着熱交換器（52）で蒸発した冷媒は、圧縮機（53）へ吸入されて圧縮され、再び圧縮機（53）から吐出される。
【００５８】
このように、第１動作中の各冷媒回路（50）では、第１吸着熱交換器（51）が凝縮器となり、第２吸着熱交換器（52）が蒸発器となる。各第１吸着熱交換器（51）では、フィン（57）表面の吸着剤が伝熱管（58）内の冷媒によって加熱され、加熱された吸着剤から脱離した水分が第２空気に付与される。一方、各第２吸着熱交換器（52）では、フィン（57）表面の吸着剤に第１空気中の水分が吸着され、発生した吸着熱が伝熱管（58）内の冷媒に吸熱される。
【００５９】
そして、除湿運転中であれば、各第２吸着熱交換器（52）で除湿された第１空気が室内へ供給され、各第１吸着熱交換器（51）から脱離した水分が第２空気と共に室外へ排出される。一方、加湿運転中であれば、各第１吸着熱交換器（51）で加湿された第２空気が室内へ供給され、各第２吸着熱交換器（52）に水分を奪われた第１空気が室外へ排出される。
【００６０】
次に、第２動作について説明する。第２動作中には、各第１吸着熱交換器（51）へ第１空気が、各第２吸着熱交換器（52）へ第２空気がそれぞれ送り込まれる。この第２動作では、各第２吸着熱交換器（52）についての再生動作と、各第１吸着熱交換器（51）についての吸着動作とが行われる。
【００６１】
図２(Ｂ)に示すように、第２動作中の各冷媒回路（50）では、四方切換弁（54）が第２状態に設定される。各圧縮機（53）を運転すると、冷媒回路（50）内で冷媒が循環する。具体的に、各圧縮機（53）から吐出された冷媒は、第２吸着熱交換器（52）で放熱して凝縮する。各第２吸着熱交換器（52）で凝縮した冷媒は、電動膨張弁（55）を通過する際に減圧され、その後に第１吸着熱交換器（51）で吸熱して蒸発する。各第１吸着熱交換器（51）で蒸発した冷媒は、圧縮機（53）へ吸入されて圧縮され、再び圧縮機（53）から吐出される。
【００６２】
このように、各冷媒回路（50）では、第２吸着熱交換器（52）が凝縮器となり、第１吸着熱交換器（51）が蒸発器となる。各第２吸着熱交換器（52）では、フィン（57）表面の吸着剤が伝熱管（58）内の冷媒によって加熱され、加熱された吸着剤から脱離した水分が第２空気に付与される。一方、各第１吸着熱交換器（51）では、フィン（57）表面の吸着剤に第１空気中の水分が吸着され、発生した吸着熱が伝熱管（58）内の冷媒に吸熱される。
【００６３】
そして、除湿運転中であれば、各第１吸着熱交換器（51）で除湿された第１空気が室内へ供給され、各第２吸着熱交換器（52）から脱離した水分が第２空気と共に室外へ排出される。一方、加湿運転中であれば、各第２吸着熱交換器（52）で加湿された第２空気が室内へ供給され、各第１吸着熱交換器（51）に水分を奪われた第１空気が室外へ排出される。
【００６４】
次に、結露を除去する制御を示す。
【００６５】
本実施形態の空調システム（1）では、加湿運転時や除湿運転時において、ユーザは、リモコンなどによって室内の設定湿度を入力する。この設定湿度に基づいて、室内湿度が目標湿度となるように加湿運転及び除湿運転が行われる。
【００６６】
この加湿運転時において、目標湿度や外気条件などによって室内に結露が生じる場合がある。この結露が生じると、ユーザは入力スイッチを操作し、結露を申告する。例えば、ユーザが湿度設定のダウンスイッチをオンにした場合や、専用の結露スイッチをオンにすると、結露に関する情報が入力される。
【００６７】
上記入力スイッチは、リモコンなどにより構成され、結露スイッチや湿度設定のダウンスイッチで構成されている。上記入力スイッチは、加湿運転時において、室内の窓などに結露が生じると、ユーザが申告するためのスイッチである。
【００６８】
ユーザの入力操作により結露発生情報が入力されると、連動制御手段（3）がその情報を受信する。連動制御手段（3）は、第１調湿装置（10）に対して結露除去運転を実行させる一方、第２調湿装置（20）には加湿運転を続行させる。また、連動制御手段（3）は、結露発生情報が入力されても、第１及び第２空調機（30,40）に対しては、ユーザが設定した運転を実行させる。
【００６９】
結露除去運転のモードは、室外温度と室外湿度と室内温度とに基づいて、決定される。例えば、室外空気が、低温低湿である場合、つまり、室外空気の温度が１０〜１５℃の温度範囲よりも低く、室外絶対湿度が室内絶対湿度よりも低い場合、連動制御手段（3）は、結露除去運転のモードとして、暖房運転モードを選択する。具体的に、冷媒回路（50）における冷媒循環の切り換えを行うことなく、室外空気を凝縮器として機能している吸着熱交換器に通して室内へ供給する。
【００７０】
また、室外空気が低温高湿である場合、つまり、室外空気の温度が１０〜１５℃の温度範囲よりも低く、室外絶対湿度が室内絶対湿度よりも高い場合、連動制御手段（3）は、結露除去運転のモードとして除湿運転モードを選択する。具体的に、上述の除湿運転を行う。
【００７１】
また、室外空気が高温高湿である場合、つまり、室外空気の温度が１０〜１５℃の温度範囲よりも高く、室外絶対湿度が室内絶対湿度よりも高い場合、連動制御手段（3）は、結露除去運転のモードとして除湿運転モードを選択する。具体的に、上述の除湿運転を行う。
【００７２】
また、室外空気が高温低湿である場合、つまり、室外空気の温度が１０〜１５℃の温度範囲よりも高く、室外絶対湿度が室内絶対湿度よりも低い場合、連動制御手段（3）は、結露除去運転のモードとして加湿セーブモードを選択する。具体的には、冷媒回路（50）内を循環させる冷媒量を減少させ、加湿量が減少するよう運転させる。
【００７３】
−実施形態１における効果−
本実施形態は、ユーザからの申告により、連動制御手段（3）が、第１調湿装置（10）に対して結露除去運転を実行させる。具体的には、連動制御手段（3）が、室外温度と室外湿度と室内湿度とに基づいて、結露除去運転のモードを決定し、第１調湿装置（10）に対してそのモードを実行させる。そのため、確実に結露を除去できる。また、結露発生時に加湿運転が行われることはないため、無駄な加湿運転を阻止できる。よって、省エネルギー化を図ることができる。
【００７４】
室外空気が低温低湿である場合には、連動制御手段（3）は暖房運転モードを選択するため、室内空気の温度が上昇する。この結果、室内空気の露点が上昇して、結露が除去される。
【００７５】
室外空気が低温高湿及び高温高湿である場合には、連動制御手段（3）は除湿運転モードを選択するため、室内空気が除湿される。この結果、結露は、吸着剤に吸着されて、除去される。
【００７６】
室外空気が高温低湿である場合には、連動制御手段（3）は換気モードを選択するため、高温の空気が室内に供給される。この結果、室内空気の温度が上昇して、室内空気の露点が上昇する。よって、結露が除去される。
【００７７】
《発明の実施形態２》
本発明の実施形態２について説明する。本実施形態の空調システム（5）では、結露発生情報が入力されたときに、第１空調機（30）に結露除去運転を実行させて、室内空気の相対湿度を低下させる。
【００７８】
上記第１及び第２加湿運転制御手段（61,71）は、結露発生情報が入力されてもユーザが設定した運転を行うように構成されている。
【００７９】
上記第１空調制御手段（81）は、連動制御手段（7）により、冷房運転と暖房高能力運転とに切り換わるように構成されている。
【００８０】
上記冷房運転は、ペリメータゾーンを冷却するとともに除湿する運転である。
【００８１】
上記暖房高能力運転は、ペリメータゾーンをペリメータゾーン以外のゾーンよりも加温する運転である。
【００８２】
上記第２空調制御手段（91）は、結露発生情報が入力されてもユーザが設定した運転を行うように構成されている。
【００８３】
上記連動制御手段（7）は、入力手段（31）からの結露発生情報の入力により、室外温度と室外湿度と室内湿度とに基づいて、結露除去運転のモードを決定し、第１空調機（30）に対して結露除去運転のモードを実行させる一方、第１及び第２調湿装置（10,20）や第２空調機（40）に対してはユーザが設定した運転モードを実行させるように構成されている。
【００８４】
次に、結露を除去する制御を示す。
【００８５】
結露発生情報が入力されると、連動制御手段（7）がその情報を受信する。連動制御手段（7）は、第１空調機（30）に対して結露除去運転を実行させる。
【００８６】
結露除去運転のモードは、室外温度と室外湿度と室内温度とに基づいて、決定される。具体的に、春季や夏季など室内の空気を冷却してもユーザが不快感を抱かない場合には、第１空調機（30）は冷房運転を行う。一方、秋季や冬季など室内の空気を加温してもユーザが不快感を抱かない場合には、第１空調機（30）は暖房運転を行う。
【００８７】
−実施形態２における効果−
本実施形態は、ユーザからの申告により、連動制御手段（7）が、第１空調機（30）に対して結露除去運転を実行させる。具体的には、連動制御手段（7）が、室外温度と室外湿度と室内湿度とに基づいて、結露除去運転のモードを決定し、第１空調機（30）に対してそのモードを実行させる。そのため、確実に結露を除去できる。また、結露発生時に加湿運転が行われることはないため、無駄な加湿運転を阻止できる。よって、省エネルギー化を図ることができる。
【００８８】
連動制御手段（7）が冷房運転モードを選択した場合、室内空気は除湿される。この結果、結露が除去される。
【００８９】
連動制御手段（7）が暖房高能力運転モードを選択した場合、窓面は加温され、結露は蒸発する。この結果、結露が除去される。
【００９０】
−第１変形例−
第１変形例の空調システムは、第１空調機（30）だけでなく第１調湿装置（10）も結露除去運転を行う。
【００９１】
具体的には、第１調湿装置（10）は、連動制御手段（7）により、結露除去運転を行うように構成されている。また、連動制御手段（7）は、結露発生情報の入力により、第１調湿装置（10）及び第１空調機（30）に対して、結露除去運転を実行させるように構成されている。
【００９２】
つまり、ユーザの入力操作により結露除去情報が入力されると、連動制御手段（7）がその情報を受信する。連動制御手段（7）は、第１調湿装置（10）と第１空調機（30）とに対して、各々、結露除去運転を実行させる。結露除去運転は、上記実施形態１及び２に記載のように、室外温度と室外湿度と室内湿度とに基づいて決定される。
【００９３】
−第１変形例における効果−
第１変形例は、ユーザからの申告により、連動制御手段（7）が、第１調湿装置（10）及び第１空調機（30）に対して結露除去運転を実行させる。そのため、上記実施形態１及び２に比べて、結露を除去できる。
【００９４】
《発明の実施形態３》
本発明の実施形態３について説明する。本実施形態の空調システムは、上記実施形態１の空調システム（1）と、第１調湿装置の構成を異にする。つまり、本実施形態の空調システムは、図４に示す第１調湿装置（200）と、図１及び図２に示す第２調湿装置（20）と、図２に示す第１及び第２空調機（30,40）と、図１に示す連動制御手段（3）とで構成されている。
【００９５】
第１調湿装置（200）は、加湿空気をペリメータゾーンに供給し、上記実施形態１の第１調湿装置（10）と同様、入力手段と第１加湿運転制御手段とを備えている。
【００９６】
図４に示すように、第１調湿装置（200）は、各々、直方体状で中空のケーシング（210）を備えている。このケーシング（210）では、対向する一対の側面のうちの一方に排気口（212）と外気吸込口（211）とが並んで開口し、他方に内気吸込口（213）と給気口（214）とが並んで開口している。ケーシング（210）の内部には、内気吸込口（213）に連通する第１排気側流路（215）と、排気口（212）に連通する第２排気側流路（216）と、外気吸込口（211）に連通する第１給気側流路（217）と、給気口（214）に連通する第２給気側流路（218）とが形成されている。第２排気側流路（216）には排気ファン（225）が設置され、第２給気側流路（218）には給気ファン（226）が設置されている。
【００９７】
ケーシング（210）内には、調湿用部材である全熱交換器（220）が収納されている。この全熱交換器（220）は、室内空気の流れる空気通路と室外空気の流れる空気通路とが複数ずつ備え、室内空気と室外空気の間で熱と水分の授受を行わせるように構成されている。また、全熱交換器（220）は、全体形状が四角柱状に形成されており、その長手方向に延びる側面のうち対向する２つの側面に室内空気の流れる空気通路が、残りの２つの側面に  室外空気の流れる空気通路がそれぞれ開口している。そして、全熱交換器（220）は、室内空気の流れる空気通路が第１排気側流路（215）及び第２排気側流路（216）に連通し、室外空気の流れる空気通路が第１給気側流路（217）及び第２給気側流路（218）に連通する姿勢で設置されている。
【００９８】
また、ケーシング（210）内には、加湿エレメント（221）が収納されている。加湿エレメント（221）は、第２給気側流路（218）における給気ファン（226）の下流側に配置されている。加湿エレメント（221）は、透湿膜を介して、あるいは直接に水と空気を接触させ、通過する空気を加湿するように構成されている。
【００９９】
上記第１調湿装置（200）は、連動制御手段（3）により、加湿セーブ運転と除湿運転とに切り換え可能に構成されている。
【０１００】
上記加湿セーブ運転は、加湿エレメント（221）における加湿量を制御して、室内に供給される加湿量を減少させる運転である。
【０１０１】
上記除湿運転は、全熱交換器（220）で室外空気中の熱と水分が室内空気へ移動することにより、全熱交換器（220）で冷却されると同時に除湿された室外空気を室内へ供給させる運転である。
【０１０２】
上記第２調湿装置（20）や上記第１及び第２空調機（30,40）は、結露発生情報が入力されても、ユーザが設定した運転モードを実行するように構成されている。
【０１０３】
上記連動制御手段（3）は、結露除去情報の入力により、第１調湿装置（200）に対して、結露除去運転を実行させる一方、第２調湿装置（20）や第１及び第２空調機（30,40）に対してはユーザが設定した運転を実行させるように構成されている。
【０１０４】
この第１調湿装置（200）の運転動作について説明する。
【０１０５】
排気ファン（225）及び給気ファン（226）を運転すると、外気吸込口（211）から取り込まれた室外空気と、内気吸込口（213）から取り込まれた室内空気とが全熱交換器（220）へ送り込まれる。全熱交換器（220）では、送り込まれた室外空気と室内空気の間で熱と水分の授受が行われる。
【０１０６】
例えば、冬季に室内を暖房している場合は、室内空気に比べて室外空気が低温で乾燥した状態となる。従って、この場合、全熱交換器（220）では、室内空気中の熱と水分が室外空気へ移動する。そして、全熱交換器（220）で加熱されると同時に加湿された室外空気が室内へ供給される一方、全熱交換器（220）を通過した室内空気が室外へ排出される。
【０１０７】
また、加湿エレメント（221）へ水道水などを供給すると、全熱交換器（220）を通過して第２給気側流路（218）を流れる空気は、加湿エレメント（221）を通過する際に加湿されてから給気口（214）を通って室内へ供給される。
【０１０８】
一方、夏季に室内を冷房している場合は、室内空気に比べて室外空気は高温で湿った状態となる。従って、この場合、全熱交換器（220）では、室外空気中の熱と水分が室内空気へ移動する。そして、全熱交換器（220）で冷却されると同時に除湿された室外空気が室内へ供給される一方、全熱交換器（220）を通過した室内空気が室外へ排出される。
【０１０９】
次に、結露を除去する制御を示す。
【０１１０】
本実施形態における空調システムの連動制御手段（3）は、結露発生情報が入力されると、その情報を受信して、第１調湿装置（200）に対して結露除去運転を行わせる一方、第２調湿装置（20）や第１及び第２空調機（30,40）に対してはユーザが設定した運転を続行させる。
【０１１１】
結露除去運転のモードは、室外温度と室外湿度と室内温度とに基づいて、決定される。例えば、室外空気が低温高湿及び高温高湿である場合、連動制御手段（3）は、結露除去運転のモードとして除湿運転モードを選択する。具体的に、上述の夏季における運転を行う。
【０１１２】
また、室外空気が高温低湿である場合、連動制御手段（3）は、結露除去運転のモードとして加湿セーブモードを選択する。具体的には、加湿エレメント（221）における加湿量を制御する。
【０１１３】
−実施形態３における効果−
本実施形態における空調システムは、上記実施形態１における空調システムと略同一の効果を奏する。
【０１１４】
《発明の実施形態４》
本発明の実施形態４について説明する。本実施形態の空調システムにおける調湿装置は、上記実施形態３の調湿装置（200）に対して加熱用熱交換器が追加されたものである。つまり、本実施形態の空調システムは、図５に示す第１調湿装置（250）と、図１及び図２に示す第２調湿装置（20）と、図１に示す第１及び第２空調機（30,40）と、図１に示す連動制御手段（3）とで構成されている。
【０１１５】
第１調湿装置（250）は、加湿空気をペリメータゾーンに供給し、上記実施形態１の第１調湿装置（10）と同様、入力手段と第１加湿運転制御手段とを備えている。
【０１１６】
図５に示すように、加熱用熱交換器（223）は、第２給気側流路（218）における給気ファン（226）と加湿エレメント（221）の間に設置されている。また、加熱用熱交換器（223）は、冷凍サイクルを行う冷媒回路に接続されており、冷媒と空気を熱交換させることで凝縮器として機能する。
【０１１７】
加熱用熱交換器（223）を備える調湿装置において、室内へ供給する空気を加湿する場合には、加湿エレメント（221）へ水道水が供給され、加熱用熱交換器（223）が凝縮器となる。この場合、全熱交換器（220）を通過して第２給気側流路（218）を流れる空気は、加熱用熱交換器（223）を通過する際に加熱され、続いて加湿エレメント（221）を通過する際に加湿されてから給気口（214）を通って室内へ供給される。
【０１１８】
加熱用熱交換器（223）を備える調湿装置において、全熱交換器（220）を乾燥させるための動作は、上述の通りである。つまり、室内空気と室外空気のうち比較的湿度の低い方だけを全熱交換器（220）へ供給し、これによって全熱交換器（220）を乾燥させる。一方、加湿エレメント（221）を乾燥させるための動作としては、加湿エレメント（221）から排水すると共に給気ファン（226）だけを運転し且つ加熱用熱交換器（223）で冷媒を凝縮させる動作が行われる。この状態では、ケーシング（210）内に取り込まれた室外空気が加熱用熱交換器（223）で加熱されてから加湿エレメント（221）を通過し、これによって加湿エレメント（221）を乾燥させる。
【０１１９】
上記第１調湿装置（250）は、連動制御手段（3）により、加湿セーブ運転と除湿運転と暖房運転とに切り換え可能に構成されている。
【０１２０】
上記加湿セーブ運転及び上記除湿運転は、各々、上記実施形態３における第１調湿装置（200）における加湿セーブ運転及び除湿運転と略同一である。
【０１２１】
上記暖房運転は、加熱用熱交換器（223）を運転させる一方、加湿エレメント（221）を停止させる運転である。
【０１２２】
次に、結露を除去する制御を示す。
【０１２３】
本実施形態における空調システムの連動制御手段（3）は、結露発生情報が入力されると、その情報を受信して、第１調湿装置（250）に対して結露除去運転を実行させる一方、第２調湿装置（20）や第１及び第２空調機に対してはユーザが設定した運転モードを実行させる。
【０１２４】
結露除去運転のモードは、室外温度と室外湿度と室内温度とに基づいて、決定される。例えば、室外空気が低温低湿である場合、連動制御手段（3）は、結露除去運転のモードとして暖房運転モードを選択する。具体的に、加熱用熱交換器（223）を運転させ、加湿エレメント（221）を停止させる。
【０１２５】
また、室外空気が低温高湿及び高温高湿である場合、連動制御手段（3）は、結露除去運転のモードとして除湿運転モードを選択する。具体的には、上記実施形態３に記載の通りである。
【０１２６】
また、室外空気が高温低湿である場合、連動制御手段（3）は、結露除去運転のモードとして加湿セーブモードを選択する。具体的には、上記実施形態３に記載の通りである。
【０１２７】
−実施形態４における効果−
本実施形態における空調システムは、上記実施形態１における空調システムと略同一の効果を奏する。
【０１２８】
《発明の実施形態５》
本発明の実施形態５について説明する。本実施形態の空調システムは、上記実施形態１の空調システム（1）と、第１調湿装置の構成を異にする。つまり、本実施形態の空調システムは、図６に示す第１調湿装置（300）と、図１及び図２に示す第２調湿装置（20）と、図１に示す第１及び第２空調機（30,40）と、図１に示す連動制御手段（3）とで構成されている。
【０１２９】
第１調湿装置（300）は、加湿空気をペリメータゾーンに供給し、上記実施形態１の第１調湿装置（10）と同様、入力手段と第１加湿運転制御手段とを備えている。
【０１３０】
図６に示すように、第１調湿装置（300）は、直方体状で中空のケーシング（310）を備えている。このケーシング（310）は、その内部が排気側流路（315）と給気側流路（316）とに仕切られている。このケーシング（310）では、対向する一対の側面のうちの一方に排気口（312）と外気吸込口（311）とが並んで開口し、他方に内気吸込口（313）と給気口（314）とが並んで開口している。内気吸込口（313）は排気側流路（315）の入口端に、排気口（312）は排気側流路（315）の出口端にそれぞれ接続している。一方、外気吸込口（311）は給気側流路（316）の入口端に、給気口（314）は給気側流路（316）の出口端にそれぞれ接続している。
【０１３１】
ケーシング（310）の内部には、円板状に形成された吸着素子（320）が調湿用部材として設けられている。吸着素子（320）は、ハニカム状に形成されて厚み方向へ空気が通過可能に構成されており、通過する空気をゼオライト等の吸着剤と接触させる。吸着素子（320）は、排気側流路（315）と給気側流路（316）の両方を横断するように配置され、その中心軸周りに回転駆動される。
【０１３２】
ケーシング（310）内の排気側流路（315）において、吸着素子（320）の上流側には加熱器である第１熱交換器（321）が設置され、吸着素子（320）の下流側には排気ファン（325）が設置されている。ケーシング（310）内の給気側流路（316）において、吸着素子（320）の上流側には加熱器である第２熱交換器（322）が設置され、吸着素子（320）の下流側には給気ファン（326）が設置されている。第１熱交換器（321）及び第２熱交換器（322）は、それぞれが通過する空気を温水と熱交換させるように構成されている。
【０１３３】
上記第１調湿装置（300）は、連動制御手段（3）により、加湿セーブ運転と除湿運転と暖房運転とに切り換え可能に構成されている。
【０１３４】
上記加湿セーブ運転は、第２熱交換器（322）における加湿量を制御して、室内に供給される加湿量を減少させる運転である。
【０１３５】
上記除湿運転は、第２熱交換器（322）で室外空気を除湿して室内に供給する一方、第１熱交換器（321）で室内空気に水分を放出して室外に排気する運転である。
【０１３６】
上記暖房運転は、第２熱交換器（322）を運転させながら吸着素子（320）の回転を停止させる運転である。
【０１３７】
上記第２調湿装置（20）と上記第１及び第２空調機（30,40）は、各々、結露発生情報が入力されても、ユーザが設定した運転を実行させるように構成されている。
【０１３８】
上記連動制御手段（3）は、結露除去情報の入力により、第１調湿装置（200）に対して、結露除去運転を実行させる一方、第２調湿装置（20）や第１及び第２空調機（30,40）に対してはユーザが設定した運転を実行させるように構成されている。
【０１３９】
−運転動作−
上記調湿装置の運転動作について、説明する。この調湿装置は、除湿運転と加湿運転とを切り換えて行う。
【０１４０】
〈除湿運転〉
除湿運転時には、第１熱交換器（321）へ温水が供給され、第２熱交換器（322）が休止する。この除湿運転では、吸着素子（320）のうち給気側流路（316）を横断する部分についての吸着動作と、吸着素子（320）のうち排気側流路（315）を横断する部分についての再生動作とが同時に並行して行われる。
【０１４１】
給気ファン（326）を運転すると、外気吸込口（311）から給気側流路（316）へ室外空気が取り込まれる。取り込まれた室外空気は、休止中の第２熱交換器（322）を通過後に吸着素子（320）へ送られる。吸着素子（320）では、通過する室外空気中の水分が吸着剤に吸着される。吸着素子（320）で除湿された室外空気は、給気口（314）を通って室内へ供給される。
【０１４２】
排気ファン（325）を運転すると、内気吸込口（313）から排気側流路（315）へ室内空気が取り込まれる。取り込まれた室内空気は、第１熱交換器（321）を通過する間に加熱されてから吸着素子（320）へ送られる。排気側流路（315）へは、吸着素子（320）のうち給気側流路（316）を横断する間に水分を吸着した部分が移動してくる。この吸着素子（320）の部分に担持された吸着剤は、第１熱交換器（321）から供給された室内空気によって加熱され、この吸着剤から水分が脱離する。吸着剤から脱離した水分を付与された室内空気は、排気口（312）を通って室外へ排出される。また、吸着素子（320）のうち排気側流路（315）を横断する間に再生された部分は、給気側流路（316）へと移動してゆく。
【０１４３】
〈加湿運転〉
加湿運転時には、第２熱交換器（322）へ温水が供給され、第１熱交換器（321）が休止する。この加湿運転では、吸着素子（320）のうち排気側流路（315）を横断する部分についての吸着動作と、吸着素子（320）のうち給気側流路（316）を横断する部分についての再生動作とが同時に並行して行われる。
【０１４４】
排気ファン（325）を運転すると、内気吸込口（313）から排気側流路（315）へ室内空気が取り込まれる。取り込まれた室内空気は、休止中の第１熱交換器（321）を通過後に吸着素子（320）へ送られる。吸着素子（320）では、通過する室内空気中の水分が吸着剤に吸着される。吸着素子（320）に水分を奪われた室内空気は、排気口（312）を通って室外へ排出される。
【０１４５】
給気ファン（326）を運転すると、外気吸込口（311）から給気側流路（316）へ室外空気が取り込まれる。取り込まれた室外空気は、第２熱交換器（322）を通過する間に加熱されてから吸着素子（320）へ送られる。給気側流路（316）へは、吸着素子（320）のうち排気側流路（315）を横断する間に水分を吸着した部分が移動してくる。この吸着素子（320）の部分に担持された吸着剤は、第２熱交換器（322）から供給された室内空気によって加熱され、この吸着剤から水分が脱離する。吸着剤から脱離した水分を付与されて加湿された室内空気は、給気口（314）を通って室内へ供給される。また、吸着素子（320）のうち給気側流路（316）を横断する間に再生された部分は、排気側流路（315）へと移動してゆく。
【０１４６】
次に、結露を除去する制御を示す。
【０１４７】
本実施形態における空調システムの連動制御手段は、結露発生情報が入力されると、その情報を受信して、第１調湿装置（300）に対して結露除去運転を実行させる一方、第２調湿装置（20）や第１及び第２空調機（30,40）に対しては加湿運転を続行させる。
【０１４８】
結露除去運転のモードは、室外温度と室外湿度と室内温度とに基づいて、決定される。例えば、室外空気が、低温低湿である場合、連動制御手段（3）は、結露除去運転のモードとして、暖房運転モードを選択する。具体的に、第２熱交換器（322）を運転させながら吸着素子（320）の回転を停止させる。
【０１４９】
また、室外空気が低温高湿及び高温高湿である場合、連動制御手段（3）は、結露除去運転のモードとして除湿運転モードを選択する。具体的に、上述の除湿運転を行う。
【０１５０】
また、室外空気が高温低湿である場合、連動制御手段（3）は、結露除去運転のモードとして加湿セーブモードを選択する。具体的には、第２熱交換器（322）における加湿量を制御して、室内に供給される加湿量を減少させる。
【０１５１】
−実施形態５における効果−
本実施形態における空調システムは、上記実施形態１における空調システムと略同一の効果を奏する。
【０１５２】
《発明の実施形態６》
本発明の実施形態６について説明する。本実施形態の空調システムは、上記実施形態１の空調システム（1）と、第１調湿装置の構成を異にする。つまり、本実施形態の空調システムは、図８に示す第１調湿装置（400）と、図１及び図２に示す第２調湿装置（20）と、図１に示す第１及び第２空調機（30,40）と、図１に示す連動制御手段（3）と、で構成されている。
【０１５３】
第１調湿装置（400）は、加湿空気をペリメータゾーンに供給し、上記実施形態１の第１調湿装置（10）と同様、入力手段と第１加湿運転制御手段とを備えている。
【０１５４】
図８に示すように、第１調湿装置（400）は、上記実施形態３乃至５に記載の調湿装置（200,250,300）のように、直方体状で中空のケーシングに、排気側通路が形成されていない。そして、このケーシングでは、対向する一対の側面のうちの一方に外気吸込口（411）が開口し、他方に給気口（412）が開口している。
【０１５５】
ケーシングの内部には、加熱用熱交換器（415）が設けられている。加熱用熱交換器（415）の上流側には加湿エレメント（414）が設置され、加熱用熱交換器（415）の下流側には給気ファン（416）が設置されている。
【０１５６】
上記第１調湿装置（400）は、連動制御手段（3）により、加湿セーブ運転と暖房運転とに切り換え可能に構成されている。
【０１５７】
上記加湿セーブ運転は、加熱用熱交換器（415）を停止させ、加湿エレメント（414）における加湿量を制御して、室内に供給される加湿量を減少させる運転である。
【０１５８】
上記暖房運転は、加熱用熱交換器（415）を運転させて加湿エレメント（414）を停止させる。
【０１５９】
上記第２調湿装置（20）と上記第１及び第２空調機（30,40）は、各々、結露発生情報が入力されても、ユーザが設定した運転を実行させるように構成されている。
【０１６０】
上記連動制御手段（3）は、結露除去情報の入力により、第１調湿装置（400）に対して、結露除去運転を実行させる一方、第２調湿装置（20）や第１及び第２空調機（30,40）に対してはユーザが設定した運転を実行させるように構成されている。
【０１６１】
−運転動作−
上記調湿装置の加湿運転動作について、説明する。
【０１６２】
吸気ファン（416）を運転すると、外気吸込口（411）から室外空気が取り込まれる。取り込まれた室外空気は、加熱用熱交換器（415）を通過後に加湿エレメント（414）へ送られる。加湿エレメント（414）で加湿された室外空気は、給気口（412）を通って室内へ供給される。
【０１６３】
次に、結露を除去する制御を示す。
【０１６４】
本実施形態における空調システムの連動制御手段は、ユーザの入力操作により結露発生情報が入力されると、その情報を受信して、第１調湿装置（400）に対して結露除去運転を行わせる一方、第２調湿装置（20）には加湿運転を続行させる。
【０１６５】
結露除去運転のモードは、室外温度と室外湿度と室内温度とに基づいて、決定される。例えば、室外空気が、低温低湿である場合、連動制御手段（3）は、結露除去運転のモードとして、暖房運転モードを選択する。具体的に、加熱用熱交換器（415）を運転させ、加湿エレメント（414）を停止させる。
【０１６６】
また、室外空気が高温低湿である場合、連動制御手段（3）は、結露除去運転のモードとして加湿セーブモードを選択する。具体的には、加熱用熱交換器（415）を停止させ、加湿エレメント（414）における加湿量を制御して、室内に供給される加湿量を減少させる。
【０１６７】
−実施形態６における効果−
本実施形態における空調システムは、上記実施形態１における空調システムと略同一の効果を奏する。
【０１６８】
《その他の実施形態》
上記実施形態１乃至２では、第１及び第２調湿装置（10,20）は、各々、次のように構成されていてもよい。ここでは、第１及び第２調湿装置（10,20）の変形例について説明する。
【０１６９】
−第１変形例−
図８に示すように、第１変形例の第１及び第２調湿装置（10,20）は、各々、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。この冷媒回路（100）は、熱源手段を構成している。第１吸着素子（111）及び第２吸着素子（112）は、ゼオライト等の吸着剤を備えており、それぞれ吸着部材を構成している。また、各吸着素子（111,112）には多数の空気通路が形成されており、この空気通路を通過する際に空気が吸着剤と接触する。
【０１７０】
この調湿装置（10,20）は、各々、第１動作と第２動作を繰り返す。図８(Ａ)に示すように、第１動作中の調湿装置（10,20）は、各々、凝縮器（102）で加熱された空気を第１吸着素子（111）へ供給して吸着剤を再生する一方、第２吸着素子（112）に水分を奪われた空気を蒸発器（104）で冷却する。また、図８(Ｂ)に示すように、第２動作中の調湿装置（10,20）は、各々、凝縮器（102）で加熱された空気を第２吸着素子（112）へ供給して吸着剤を再生する一方、第１吸着素子（111）に水分を奪われた空気を蒸発器（104）で冷却する。そして、この調湿装置（10,20）は、各々、吸着素子（111,112）を通過する際に除湿された空気を室内へ供給する除湿運転と、吸着素子（111,112）を通過する際に加湿された空気を室内へ供給する加湿運転とを切り換えて行う。
【０１７１】
−第２変形例−
図９に示すように、第２変形例の調湿装置（10,20）は、各々、調湿ユニット（150）を備えている。この調湿ユニット（150）は、ペルチェ素子（153）と一対の吸着フィン（151,152）とを備えている。吸着フィン（151,152）は、いわゆるヒートシンクの表面にゼオライト等の吸着剤を担持させたものである。この吸着フィン（151,152）は、吸着部材を構成している。ペルチェ素子（153）は、その一方の面に第１吸着フィン（151）が、他方の面に第２吸着フィン（152）がそれぞれ接合されている。ペルチェ素子（153）に直流を流すと、２つの吸着フィン（151,152）の一方が吸熱側になって他方が放熱側になる。このペルチェ素子（153）は、熱源手段を構成している。
【０１７２】
この調湿装置（10,20）は、各々、第１動作と第２動作を繰り返す。第１動作中の調湿ユニット（150）は、放熱側となった第１吸着フィン（151）の吸着剤を再生して空気を加湿する一方、吸熱側となった第２吸着フィン（152）の吸着剤に水分を吸着させて空気を除湿する。また、第１動作中の調湿ユニット（150）は、放熱側となった第２吸着フィン（152）の吸着剤を再生して空気を加湿する一方、吸熱側となった第１吸着フィン（151）の吸着剤に水分を吸着させて空気を除湿する。そして、この調湿装置（10,20）は、各々、調湿ユニット（150）を通過する際に除湿された空気を室内へ供給する除湿運転と、調湿ユニット（150）を通過する際に加湿された空気を室内へ供給する加湿運転とを切り換えて行う。
【０１７３】
また、上記実施形態３乃至６では、空調システムは、以下に示すように構成されていても良い。
【０１７４】
第１調湿装置（200,250,300,400）が、結露発生情報が入力されてもユーザが設定した運転を実行し、第１空調機（30）が、結露除去運転を実行するように構成されている。
【０１７５】
または、第１調湿装置（200,250,300,400）及び第１空調機（30）が、結露除去運転を実行するように構成されている。
【０１７６】
なお、以上の実施形態は、本質的に好ましい例示であって、本発明、その適用物、あるいはその用途の範囲を制限することを意図するものではない。
【産業上の利用可能性】
【０１７７】
以上説明したように、本発明は、空調システム、特に、結露除去について有用である。
【図面の簡単な説明】
【０１７８】
【図１】実施形態１の空調システムを示す模式図である。
【図２】実施形態１の冷媒回路の構成を示す配管系統図であって、(Ａ)は第１動作中の動作を示すものであり、(Ｂ)は第２動作中の動作を示すものである。
【図３】吸着熱交換器の概略斜視図である。
【図４】実施形態３の調湿装置の概略構成図である。
【図５】実施形態４の調湿装置の概略構成図である。
【図６】実施形態５の調湿装置の概略構成図である。
【図７】実施形態６の調湿装置の概略構成図である。
【図８】その他の実施形態の第１変形例における調湿装置の概略構成図であって、(Ａ)は第１動作中の動作を示すものであり、(Ｂ)は第２動作中の動作を示すものである。
【図９】その他の実施形態の第２変形例における調湿ユニットの概略斜視図である。
【符号の説明】
【０１７９】
1,5   空調システム
3,7   連動制御手段
10  第１調湿装置
11,21,31,41  入力手段
20  第２調湿装置
30  空調機（第１空調機）
61  第１加湿運転制御手段
71  第２加湿運転制御手段
81  冷暖房運転制御手段（第１冷暖房運転制御手段）
【図１】
2006329600.tif 000003
【図２】
2006329600.tif 000004
【図３】
2006329600.tif 000005
【図４】
2006329600.tif 000006
【図５】
2006329600.tif 000007
【図６】
2006329600.tif 000008
【図７】
2006329600.tif 000009
【図８】
2006329600.tif 000010
【図９】
2006329600.tif 000011
【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
吸着剤が担持された吸着部材と、該吸着部材を少なくとも加熱するための熱源手段とを備え、取り込んだ室外空気を吸着部材で加湿して室内のペリメータゾーンに加湿空気を供給する加湿運転を行う第１調湿装置（10）と、
吸着剤が担持された吸着部材と、該吸着部材を少なくとも加熱するための熱源手段とを備え、取り込んだ室外空気を吸着部材で加湿して室内のインテリアゾーンに加湿空気を供給する加湿運転を行う第２調湿装置（20）とを備えた空調システムであって、
室内における結露発生情報を入力するための入力手段（11）と、
上記入力手段からの結露発生情報に基づいて、上記第１調湿装置（10）に対して結露発生情報の入力前の加湿量よりも少ない加湿量を上記ペリメータゾーンに供給して結露を除去するための加湿セーブ運転を実行させ、上記第２調湿装置（20）に対して上記加湿運転を続行させる連動制御手段（3）とを備えている
ことを特徴とする空調システム。
【請求項２】
吸着剤が担持された吸着部材と、該吸着部材を少なくとも加熱するための熱源手段とを備え、取り込んだ室外空気を吸着部材で加湿して室内のペリメータゾーンに加湿空気を供給する加湿運転を行う第１調湿装置（10）と、
吸着剤が担持された吸着部材と、該吸着部材を少なくとも加熱するための熱源手段とを備え、取り込んだ室外空気を吸着部材で加湿して室内のインテリアゾーンに加湿空気を供給する加湿運転を行う第２調湿装置（20）とを備えた空調システムであって、
室内における結露発生情報を入力するための入力手段（11）と、
上記入力手段からの結露発生情報に基づいて、上記第１調湿装置（10）に対して上記吸着部材で加温された空気を上記ペリメータゾーンに供給して結露を除去するための暖房運転を実行させ、上記第２調湿装置（20）に対して上記加湿運転を続行させる連動制御手段（3）とを備えている
ことを特徴とする空調システム。
【請求項３】
請求項１又は２において、
上記連動制御手段（3）は、室外温度と室外湿度と室内湿度とに基づいて、上記結露除去運転のモードを決定するように構成されている
ことを特徴とする空調システム。
【請求項４】
吸着剤が担持された吸着部材と、該吸着部材を少なくとも加熱するための熱源手段とを備え、取り込んだ室外空気を吸着部材で加湿して室内のペリメータゾーンに加湿空気を供給する加湿運転を行う第１調湿装置（10）と、
吸着剤が担持された吸着部材と、該吸着部材を少なくとも加熱するための熱源手段とを備え、取り込んだ室外空気を吸着部材で加湿して室内のインテリアゾーンに加湿空気を供給する加湿運転を行う第２調湿装置（20）とを備えた空調システムであって、
上記第１調湿装置（10）は、上記加湿運転と、該加湿運転の加湿量よりも少ない加湿量を上記ペリメータゾーンに供給するための加湿セーブ運転と、上記吸着部材で加温された空気を上記ペリメータゾーンに供給する暖房運転とを切り換えるように構成される一方、
室内における結露発生情報を入力するための入力手段（11）と、
上記入力手段からの結露発生情報に基づいて、上記第１調湿装置（10）に対して少なくとも室外温度と室外湿度とに基づいて加湿セーブ運転又は暖房運転を選択して結露を除去するための結露除去運転を実行させ、上記第２調湿装置（20）に対して上記加湿運転を続行させる連動制御手段（3）とを備えている
ことを特徴とする空調システム。
【手続補正２】
【補正対象書類名】明細書
【補正対象項目名】全文
【補正方法】変更
【補正の内容】
【発明の詳細な説明】
【技術分野】
【０００１】
本発明は、空調システムに関し、特に、結露対策に係るものである。
【背景技術】
【０００２】
従来より、空調機と換気装置とを有する空調システムが知られている。そして、換気装置の一種として、除湿した空気を室外に放出し、加湿した空気を室内に供給する加湿運転を行う調湿装置が知られている。
【０００３】
例えば、特許文献１には、吸着剤が水分の吸着と脱離とを行うことにより空気の湿度を調節する調湿装置が開示されている。この調湿装置は、第１の熱交換器と、第２の熱交換器と、冷媒が循環して蒸気圧縮式冷凍サイクルを行い、第１及び第２熱交換器で冷媒の凝縮と蒸発とを交互に行う冷媒回路を備えている。また、吸着剤が、第１熱交換器及び第２熱交換器の表面に担持されている。そして、上記調湿装置は、第１熱交換器において室内空気から水分を吸着すると同時に、第２熱交換器において室外空気を加湿して室内に供給する運転と、第２熱交換器において室内空気から水分を吸着すると同時に、第１熱交換器において室外空気を加湿して室内に供給する運転を交互に行い、加湿運転を行う、と記載されている。
【特許文献１】特開２００４−２９４０４８号公報
【発明の開示】
【発明が解決しようとする課題】
【０００４】
ところで、上記調湿装置の加湿運転時において、建家における窓面には、結露が生じる場合がある。この結露の発生時においては、調湿装置から供給された加湿空気の水分は、結露となるのみで、室内空気の湿度は、上昇しない。しかし、従来の上記調湿装置は、結露について何らの対策もなされていないので、結露が発生していても、室内空気の湿度値を設定湿度値にするために加湿運転を行い続ける。その結果、無駄な加湿運転が行われるという問題があった。
【０００５】
本発明は、かかる点に鑑みてなされたものであり、その目的とするところは、無駄な加湿運転を防止するようにした空調システムを提供することにある。
【課題を解決するための手段】
【０００６】
第１の発明は、吸着剤が担持された吸着部材と、該吸着部材を少なくとも加熱するための熱源手段とを備え、取り込んだ室外空気を吸着部材で加湿して室内のペリメータゾーンに加湿空気を供給する加湿運転を行う第１調湿装置（10）と、吸着剤が担持された吸着部材と、該吸着部材を少なくとも加熱するための熱源手段とを備え、取り込んだ室外空気を吸着部材で加湿して室内のインテリアゾーンに加湿空気を供給する加湿運転を行う第２調湿装置（20）とを備えた空調システムである。そして、室内における結露発生情報を入力するための入力手段（11）と、上記入力手段からの結露発生情報に基づいて、上記第１調湿装置（10）に対して結露発生情報の入力前の加湿量よりも少ない加湿量を上記ペリメータゾーンに供給して結露を除去するための加湿セーブ運転を実行させ、上記第２調湿装置（20）に対して上記加湿運転を続行させる連動制御手段（3）とを備えている。
【０００７】
第１の発明では、この加湿運転時において、結露が生じると、ユーザは、リモコンなどの入力手段により、設定湿度を下げることになる。又は、ユーザは、結露スイッチなどにより結露情報を入力する。つまり、入力手段から結露に関する情報が入力される。この結露情報に基づいて、第１調湿装置（10）は、室内に供給される加湿量を減少させる加湿セーブ運転を実行する。そのため、結露の発生量を減らすことができる。この結果、無駄な加湿運転が防止される。
【０００８】
第２の発明は、吸着剤が担持された吸着部材と、該吸着部材を少なくとも加熱するための熱源手段とを備え、取り込んだ室外空気を吸着部材で加湿して室内のペリメータゾーンに加湿空気を供給する加湿運転を行う第１調湿装置（10）と、吸着剤が担持された吸着部材と、該吸着部材を少なくとも加熱するための熱源手段とを備え、取り込んだ室外空気を吸着部材で加湿して室内のインテリアゾーンに加湿空気を供給する加湿運転を行う第２調湿装置（20）とを備えた空調システムである。そして、室内における結露発生情報を入力するための入力手段（11）と、上記入力手段からの結露発生情報に基づいて、上記第１調湿装置（10）に対して上記吸着部材で加温された空気を上記ペリメータゾーンに供給して結露を除去するための暖房運転を実行させ、上記第２調湿装置（20）に対して上記加湿運転を続行させる連動制御手段（3）とを備えている。
【０００９】
第２の発明では、加湿運転時において、結露が生じると、ユーザは、リモコンなどの入力手段により、設定湿度を下げることになる。又は、ユーザは、結露スイッチなどにより結露情報を入力する。つまり、入力手段から結露に関する情報が入力される。この結露情報に基づいて、第１調湿装置（10）が暖房運転を行うため、窓面の温度が上昇し、露点温度が上昇する。この結果、結露は蒸発し、無駄な加湿運転を防止することができる。
【００１０】
第３の発明は、上記第１又は２の発明において、上記連動制御手段（3）は、室外温度と室外湿度と室内湿度とに基づいて、上記結露除去運転のモードを決定するように構成されている。
【００１１】
第３の発明では、連動制御手段（3）は、室外温度と室外湿度と室内湿度とに基づき、結露除去運転のモードを決定する。この結果、確実に結露を除去することができる。
【００１２】
第４の発明は、吸着剤が担持された吸着部材と、該吸着部材を少なくとも加熱するための熱源手段とを備え、取り込んだ室外空気を吸着部材で加湿して室内のペリメータゾーンに加湿空気を供給する加湿運転を行う第１調湿装置（10）と、吸着剤が担持された吸着部材と、該吸着部材を少なくとも加熱するための熱源手段とを備え、取り込んだ室外空気を吸着部材で加湿して室内のインテリアゾーンに加湿空気を供給する加湿運転を行う第２調湿装置（20）とを備えた空調システムである。そして、上記第１調湿装置（10）は、上記加湿運転と、該加湿運転の加湿量よりも少ない加湿量を上記ペリメータゾーンに供給するための加湿セーブ運転と、上記吸着部材で加温された空気を上記ペリメータゾーンに供給する暖房運転とを切り換えるように構成されている。加えて、室内における結露発生情報を入力するための入力手段（11）と、上記入力手段からの結露発生情報に基づいて、上記第１調湿装置（10）に対して少なくとも室外温度と室外湿度とに基づいて加湿セーブ運転又は暖房運転を選択して結露を除去するための結露除去運転を実行させ、上記第２調湿装置（20）に対して上記加湿運転を続行させる連動制御手段（3）とを備えている。
【００１３】
第４の発明では、この加湿運転時において、結露が生じると、ユーザは、リモコンなどの入力手段により、設定湿度を下げることになる。又は、ユーザは、結露スイッチなどにより結露情報を入力する。つまり、入力手段から結露に関する情報が入力される。この結露情報に基づいて、第１調湿装置（10）は、室内の相対湿度を低下させる結露除去運転を行う。この結果、室内の結露が抑制され、無駄な加湿運転が防止される。
【発明の効果】
【００１４】
本発明によれば、結露が発生すると、第１調湿装置（10）が結露除去運転を行うようにしたため、無駄な運転を抑制することができる。この結果、省エネルギー化を図ることができる。
【００１５】
また、上記第１の発明によれば、結露発生情報の入力により、第１調湿装置（10）から室内に供給される加湿量を減少させることができる。この結果、無駄な運転を抑制でき、省エネルギー化を図ることができる。
【００１６】
また、上記第２の発明によれば、第１調湿装置（10）が暖房運転を行うため、室内の相対湿度を低下させることができ、結露を除去することができる。
【００１７】
また、上記第３の発明によれば、室外空気及び室内空気の条件から、最適な結露除去運転のモードを決定する。この結果、結露が確実に除去される。
【発明を実施するための最良の形態】
【００１８】
《発明の実施形態１》
本発明の実施形態１について説明する。本実施形態は、図１に示すように、除湿した空気を室内へ供給する除湿運転と、加湿した空気を室内へ供給する加湿運転とが可能な調湿装置と、室内空気を冷却する冷房運転と室内空気を加温する暖房運転とが可能な空調機とを有する空調システムに適用したものである。
【００１９】
上記空調システム（1）は、第１調湿装置（10）と、第２調湿装置（20）と、第１空調機（30）と、第２空調機（40）と、連動制御手段（3）とを備えている。第１調湿装置（10）は、加湿空気をペリメータゾーンへ供給し、入力手段（11）と第１調湿コントローラ（60）とを備えている。第２調湿装置（20）は、加湿空気をペリメータゾーン以外のゾーンへ供給し、入力手段（21）と第２調湿コントローラ（70）とを備えている。第１空調機（30）は、ペリメータゾーンを冷却または加温し、入力手段（31）と第１空調コントローラ（80）とを備えている。第２空調機（40）は、ペリメータゾーン以外のゾーンを冷却または加温し、入力手段（41）と第２空調コントローラ（90）とを備えている。連動制御手段（3）は、各入力手段（11,21,31,41）に接続されており、第１及び第２調湿コントローラ（60,70）と第１及び第２空調コントローラ（80,90）とに接続されている。
【００２０】
なお、上記各入力手段（11,21,31,41）は、各調湿装置（10,20）と各空調機（30,40）とに設けるようにしたが、リモコンなどの１つの入力手段で構成してもよい。
【００２１】
上記第１及び第２調湿装置（10,20）は、各々、図２に示すように、冷媒回路（50）を備えている。各冷媒回路（50）は、第１吸着熱交換器（51）、第２吸着熱交換器（52）、圧縮機（53）、四方切換弁（54）、及び電動膨張弁（55）が設けられた閉回路である。各冷媒回路（50）は、充填された冷媒を循環させることによって、蒸気圧縮冷凍サイクルを行う。
【００２２】
上記各冷媒回路（50）において、圧縮機（53）は、その吐出側が四方切換弁（54）の第１のポートに、その吸入側が四方切換弁（54）の第２のポートにそれぞれ接続されている。各第１吸着熱交換器（51）の一端は、四方切換弁（54）の第３のポートに接続されている。各第１吸着熱交換器（51）の他端は、電動膨張弁（55）を介して第２吸着熱交換器（52）の一端に接続されている。各第２吸着熱交換器（52）の他端は、四方切換弁（54）の第４のポートに接続されている。
【００２３】
上記各四方切換弁（54）は、第１のポートと第３のポートが連通して第２のポートと第４のポートが連通する第１状態（図２(Ａ)に示す状態）と、第１のポートと第４のポートが連通して第２のポートと第３のポートが連通する第２状態（図２(Ｂ)に示す状態）とに切り換え可能となっている。
【００２４】
図３に示すように、各第１吸着熱交換器（51）及び各第２吸着熱交換器（52）は、何れもクロスフィン型のフィン・アンド・チューブ熱交換器によって構成されている。これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、各フィン（57）を貫通するように設けられている。
【００２５】
上記各吸着熱交換器（51,52）では、各フィン（57）の表面に吸着剤が担持されて吸着部材を構成し、フィン（57）の間を通過する空気がフィン（57）の表面の吸着剤と接触する。この吸着剤としては、ゼオライト、シリカゲル、活性炭、親水性の官能基を有する有機高分子材料など、空気中の水蒸気を吸着できるものが用いられる。
【００２６】
第１及び第２調湿装置（10,20）は、各々、上述のように、第１及び第２調湿コントローラ（60,70）を備えている。上記第１及び第２調湿コントローラ（60,70）は、各々、第１及び第２加湿運転制御手段（61,71）を備えている。また、上記第１及び第２調湿コントローラー（60,70）には、各々、図示しないが、外気温度を検出する外気温度センサと、外気湿度を検出する外気湿度センサと、室内温度を検出する室内温度センサと、室内湿度を検出する室内湿度センサから、温湿度情報が入力されている。
【００２７】
上記第１加湿運転制御手段（61）は、連動制御手段（3）により、加湿セーブ運転と、除湿運転と、暖房運転とに切り換わるように構成されている。
【００２８】
上記加湿セーブ運転は、冷媒回路（50）内を循環させる冷媒量を減少させて、室内に供給される加湿量を減少させる運転である。
【００２９】
上記除湿運転は、一方の吸着熱交換器で室外空気を除湿して室内に供給する一方、他方の吸着熱交換器で室内空気に水分を放出して室外に排気する運転である。
【００３０】
上記暖房運転は、一方の吸着熱交換器で室外空気を加温して室内に供給する一方、他方の吸着熱交換器で室内空気を冷却して室外に排気する運転である。
【００３１】
上記第２加湿運転制御手段（71）は、結露発生情報が入力されても、ユーザが設定した運転モード（加湿運転モード）を行うように構成されている。
【００３２】
第１及び第２空調機（30,40）は、各々、上述のように、第１及び第２空調コントローラ（80,90）を備えている。上記第１及び第２空調コントローラ（80,90）は、各々、第１及び第２空調運転制御手段（81,91）を備えている。また、上記第１及び第２空調コントローラー（80,90）には、各々、図示しないが、外気温度を検出する外気温度センサと、外気湿度を検出する外気湿度センサと、室内温度を検出する室内温度センサと、室内湿度を検出する室内湿度センサから、温湿度情報が入力されている。
【００３３】
上記第１及び第２空調制御手段（81,91）は、結露発生情報が入力されても、ユーザが設定した運転モードを行うように構成されている。
【００３４】
上記連動制御手段（3）は、入力手段（11,21,31,41）からの結露発生情報の入力により、室外温度と室外湿度と室内湿度とに基づいて、結露除去運転のモードを決定し、第１調湿装置（10）に対して結露除去運転のモードを実行させる一方、第２調湿装置（20）と第１及び第２空調機（30,40）とに対してはユーザが設定した運転モードを実行させるように構成されている。
【００３５】
−運転動作−
まず、本実施形態の空調システムにおける第１及び第２調湿装置（10,20）での除湿運転及び加湿運転について示す。
【００３６】
上記第１及び第２調湿装置（10,20）では、各々、除湿運転と加湿運転とが行われる。除湿運転中や加湿運転中の第１及び第２調湿装置（10,20）は、各々、取り込んだ室外空気（OA）を調湿してから供給空気（SA）として室内へ供給すると同時に、取り込んだ室内空気（RA）を排出空気（EA）として室外へ排出する。つまり、除湿運転中や加湿運転中の第１及び第２調湿装置（10,20）は、各々、室内の換気を行っている。また、上記第１及び第２調湿装置（10,20）は、各々、除湿運転中と加湿運転中の何れにおいても、第１動作と第２動作を所定の時間間隔（例えば３分間隔）で交互に繰り返す。
【００３７】
上記第１及び第２調湿装置（10,20）は、各々、除湿運転中であれば第１空気として室外空気（OA）を、第２空気として室内空気（RA）をそれぞれ取り込む。また、上記第１及び第２調湿装置（10,20）は、各々、加湿運転中であれば第１空気として室内空気（RA）を、第２空気として室外空気（OA）をそれぞれ取り込む。
【００３８】
先ず、第１動作について説明する。第１動作中には、各第１吸着熱交換器（51）へ第２空気が、各第２吸着熱交換器（52）へ第１空気がそれぞれ送り込まれる。この第１動作では、各第１吸着熱交換器（51）についての再生動作と、各第２吸着熱交換器（52）についての吸着動作とが行われる。
【００３９】
図２(Ａ)に示すように、第１動作中の各冷媒回路（50）では、四方切換弁（54）が第１状態に設定される。各圧縮機（53）を運転すると、各冷媒回路（50）内で冷媒が循環する。具体的に、各圧縮機（53）から吐出された冷媒は、第１吸着熱交換器（51）で放熱して凝縮する。各第１吸着熱交換器（51）で凝縮した冷媒は、電動膨張弁（55）を通過する際に減圧され、その後に第２吸着熱交換器（52）で吸熱して蒸発する。各第２吸着熱交換器（52）で蒸発した冷媒は、圧縮機（53）へ吸入されて圧縮され、再び圧縮機（53）から吐出される。
【００４０】
このように、第１動作中の各冷媒回路（50）では、第１吸着熱交換器（51）が凝縮器となり、第２吸着熱交換器（52）が蒸発器となる。各第１吸着熱交換器（51）では、フィン（57）表面の吸着剤が伝熱管（58）内の冷媒によって加熱され、加熱された吸着剤から脱離した水分が第２空気に付与される。一方、各第２吸着熱交換器（52）では、フィン（57）表面の吸着剤に第１空気中の水分が吸着され、発生した吸着熱が伝熱管（58）内の冷媒に吸熱される。
【００４１】
そして、除湿運転中であれば、各第２吸着熱交換器（52）で除湿された第１空気が室内へ供給され、各第１吸着熱交換器（51）から脱離した水分が第２空気と共に室外へ排出される。一方、加湿運転中であれば、各第１吸着熱交換器（51）で加湿された第２空気が室内へ供給され、各第２吸着熱交換器（52）に水分を奪われた第１空気が室外へ排出される。
【００４２】
次に、第２動作について説明する。第２動作中には、各第１吸着熱交換器（51）へ第１空気が、各第２吸着熱交換器（52）へ第２空気がそれぞれ送り込まれる。この第２動作では、各第２吸着熱交換器（52）についての再生動作と、各第１吸着熱交換器（51）についての吸着動作とが行われる。
【００４３】
図２(Ｂ)に示すように、第２動作中の各冷媒回路（50）では、四方切換弁（54）が第２状態に設定される。各圧縮機（53）を運転すると、冷媒回路（50）内で冷媒が循環する。具体的に、各圧縮機（53）から吐出された冷媒は、第２吸着熱交換器（52）で放熱して凝縮する。各第２吸着熱交換器（52）で凝縮した冷媒は、電動膨張弁（55）を通過する際に減圧され、その後に第１吸着熱交換器（51）で吸熱して蒸発する。各第１吸着熱交換器（51）で蒸発した冷媒は、圧縮機（53）へ吸入されて圧縮され、再び圧縮機（53）から吐出される。
【００４４】
このように、各冷媒回路（50）では、第２吸着熱交換器（52）が凝縮器となり、第１吸着熱交換器（51）が蒸発器となる。各第２吸着熱交換器（52）では、フィン（57）表面の吸着剤が伝熱管（58）内の冷媒によって加熱され、加熱された吸着剤から脱離した水分が第２空気に付与される。一方、各第１吸着熱交換器（51）では、フィン（57）表面の吸着剤に第１空気中の水分が吸着され、発生した吸着熱が伝熱管（58）内の冷媒に吸熱される。
【００４５】
そして、除湿運転中であれば、各第１吸着熱交換器（51）で除湿された第１空気が室内へ供給され、各第２吸着熱交換器（52）から脱離した水分が第２空気と共に室外へ排出される。一方、加湿運転中であれば、各第２吸着熱交換器（52）で加湿された第２空気が室内へ供給され、各第１吸着熱交換器（51）に水分を奪われた第１空気が室外へ排出される。
【００４６】
次に、結露を除去する制御を示す。
【００４７】
本実施形態の空調システム（1）では、加湿運転時や除湿運転時において、ユーザは、リモコンなどによって室内の設定湿度を入力する。この設定湿度に基づいて、室内湿度が目標湿度となるように加湿運転及び除湿運転が行われる。
【００４８】
この加湿運転時において、目標湿度や外気条件などによって室内に結露が生じる場合がある。この結露が生じると、ユーザは入力スイッチを操作し、結露を申告する。例えば、ユーザが湿度設定のダウンスイッチをオンにした場合や、専用の結露スイッチをオンにすると、結露に関する情報が入力される。
【００４９】
上記入力スイッチは、リモコンなどにより構成され、結露スイッチや湿度設定のダウンスイッチで構成されている。上記入力スイッチは、加湿運転時において、室内の窓などに結露が生じると、ユーザが申告するためのスイッチである。
【００５０】
ユーザの入力操作により結露発生情報が入力されると、連動制御手段（3）がその情報を受信する。連動制御手段（3）は、第１調湿装置（10）に対して結露除去運転を実行させる一方、第２調湿装置（20）には加湿運転を続行させる。また、連動制御手段（3）は、結露発生情報が入力されても、第１及び第２空調機（30,40）に対しては、ユーザが設定した運転を実行させる。
【００５１】
結露除去運転のモードは、室外温度と室外湿度と室内温度とに基づいて、決定される。例えば、室外空気が、低温低湿である場合、つまり、室外空気の温度が１０〜１５℃の温度範囲よりも低く、室外絶対湿度が室内絶対湿度よりも低い場合、連動制御手段（3）は、結露除去運転のモードとして、暖房運転モードを選択する。具体的に、冷媒回路（50）における冷媒循環の切り換えを行うことなく、室外空気を凝縮器として機能している吸着熱交換器に通して室内へ供給する。
【００５２】
また、室外空気が低温高湿である場合、つまり、室外空気の温度が１０〜１５℃の温度範囲よりも低く、室外絶対湿度が室内絶対湿度よりも高い場合、連動制御手段（3）は、結露除去運転のモードとして除湿運転モードを選択する。具体的に、上述の除湿運転を行う。
【００５３】
また、室外空気が高温高湿である場合、つまり、室外空気の温度が１０〜１５℃の温度範囲よりも高く、室外絶対湿度が室内絶対湿度よりも高い場合、連動制御手段（3）は、結露除去運転のモードとして除湿運転モードを選択する。具体的に、上述の除湿運転を行う。
【００５４】
また、室外空気が高温低湿である場合、つまり、室外空気の温度が１０〜１５℃の温度範囲よりも高く、室外絶対湿度が室内絶対湿度よりも低い場合、連動制御手段（3）は、結露除去運転のモードとして加湿セーブモードを選択する。具体的には、冷媒回路（50）内を循環させる冷媒量を減少させ、加湿量が減少するよう運転させる。
【００５５】
−実施形態１における効果−
本実施形態は、ユーザからの申告により、連動制御手段（3）が、第１調湿装置（10）に対して結露除去運転を実行させる。具体的には、連動制御手段（3）が、室外温度と室外湿度と室内湿度とに基づいて、結露除去運転のモードを決定し、第１調湿装置（10）に対してそのモードを実行させる。そのため、確実に結露を除去できる。また、結露発生時に加湿運転が行われることはないため、無駄な加湿運転を阻止できる。よって、省エネルギー化を図ることができる。
【００５６】
室外空気が低温低湿である場合には、連動制御手段（3）は暖房運転モードを選択するため、室内空気の温度が上昇する。この結果、室内空気の露点が上昇して、結露が除去される。
【００５７】
室外空気が低温高湿及び高温高湿である場合には、連動制御手段（3）は除湿運転モードを選択するため、室内空気が除湿される。この結果、結露は、吸着剤に吸着されて、除去される。
【００５８】
室外空気が高温低湿である場合には、連動制御手段（3）は換気モードを選択するため、高温の空気が室内に供給される。この結果、室内空気の温度が上昇して、室内空気の露点が上昇する。よって、結露が除去される。
【００５９】
《発明の実施形態２》
本発明の実施形態２について説明する。本実施形態の空調システムは、上記実施形態１の空調システム（1）と、第１調湿装置の構成を異にする。つまり、本実施形態の空調システムは、図４に示す第１調湿装置（200）と、図１及び図２に示す第２調湿装置（20）と、図２に示す第１及び第２空調機（30,40）と、図１に示す連動制御手段（3）とで構成されている。
【００６０】
第１調湿装置（200）は、加湿空気をペリメータゾーンに供給し、上記実施形態１の第１調湿装置（10）と同様、入力手段と第１加湿運転制御手段とを備えている。
【００６１】
図４に示すように、第１調湿装置（200）は、各々、直方体状で中空のケーシング（210）を備えている。このケーシング（210）では、対向する一対の側面のうちの一方に排気口（212）と外気吸込口（211）とが並んで開口し、他方に内気吸込口（213）と給気口（214）とが並んで開口している。ケーシング（210）の内部には、内気吸込口（213）に連通する第１排気側流路（215）と、排気口（212）に連通する第２排気側流路（216）と、外気吸込口（211）に連通する第１給気側流路（217）と、給気口（214）に連通する第２給気側流路（218）とが形成されている。第２排気側流路（216）には排気ファン（225）が設置され、第２給気側流路（218）には給気ファン（226）が設置されている。
【００６２】
ケーシング（210）内には、調湿用部材である全熱交換器（220）が収納されている。この全熱交換器（220）は、室内空気の流れる空気通路と室外空気の流れる空気通路とが複数ずつ備え、室内空気と室外空気の間で熱と水分の授受を行わせるように構成されている。また、全熱交換器（220）は、全体形状が四角柱状に形成されており、その長手方向に延びる側面のうち対向する２つの側面に室内空気の流れる空気通路が、残りの２つの側面に室外空気の流れる空気通路がそれぞれ開口している。そして、全熱交換器（220）は、室内空気の流れる空気通路が第１排気側流路（215）及び第２排気側流路（216）に連通し、室外空気の流れる空気通路が第１給気側流路（217）及び第２給気側流路（218）に連通する姿勢で設置されている。
【００６３】
また、ケーシング（210）内には、加湿エレメント（221）が収納されている。加湿エレメント（221）は、第２給気側流路（218）における給気ファン（226）の下流側に配置されている。加湿エレメント（221）は、透湿膜を介して、あるいは直接に水と空気を接触させ、通過する空気を加湿するように構成されている。
【００６４】
上記第１調湿装置（200）は、連動制御手段（3）により、加湿セーブ運転と除湿運転とに切り換え可能に構成されている。
【００６５】
上記加湿セーブ運転は、加湿エレメント（221）における加湿量を制御して、室内に供給される加湿量を減少させる運転である。
【００６６】
上記除湿運転は、全熱交換器（220）で室外空気中の熱と水分が室内空気へ移動することにより、全熱交換器（220）で冷却されると同時に除湿された室外空気を室内へ供給させる運転である。
【００６７】
上記第２調湿装置（20）や上記第１及び第２空調機（30,40）は、結露発生情報が入力されても、ユーザが設定した運転モードを実行するように構成されている。
【００６８】
上記連動制御手段（3）は、結露除去情報の入力により、第１調湿装置（200）に対して、結露除去運転を実行させる一方、第２調湿装置（20）や第１及び第２空調機（30,40）に対してはユーザが設定した運転を実行させるように構成されている。
【００６９】
この第１調湿装置（200）の運転動作について説明する。
【００７０】
排気ファン（225）及び給気ファン（226）を運転すると、外気吸込口（211）から取り込まれた室外空気と、内気吸込口（213）から取り込まれた室内空気とが全熱交換器（220）へ送り込まれる。全熱交換器（220）では、送り込まれた室外空気と室内空気の間で熱と水分の授受が行われる。
【００７１】
例えば、冬季に室内を暖房している場合は、室内空気に比べて室外空気が低温で乾燥した状態となる。従って、この場合、全熱交換器（220）では、室内空気中の熱と水分が室外空気へ移動する。そして、全熱交換器（220）で加熱されると同時に加湿された室外空気が室内へ供給される一方、全熱交換器（220）を通過した室内空気が室外へ排出される。
【００７２】
また、加湿エレメント（221）へ水道水などを供給すると、全熱交換器（220）を通過して第２給気側流路（218）を流れる空気は、加湿エレメント（221）を通過する際に加湿されてから給気口（214）を通って室内へ供給される。
【００７３】
一方、夏季に室内を冷房している場合は、室内空気に比べて室外空気は高温で湿った状態となる。従って、この場合、全熱交換器（220）では、室外空気中の熱と水分が室内空気へ移動する。そして、全熱交換器（220）で冷却されると同時に除湿された室外空気が室内へ供給される一方、全熱交換器（220）を通過した室内空気が室外へ排出される。
【００７４】
次に、結露を除去する制御を示す。
【００７５】
本実施形態における空調システムの連動制御手段（3）は、結露発生情報が入力されると、その情報を受信して、第１調湿装置（200）に対して結露除去運転を行わせる一方、第２調湿装置（20）や第１及び第２空調機（30,40）に対してはユーザが設定した運転を続行させる。
【００７６】
結露除去運転のモードは、室外温度と室外湿度と室内温度とに基づいて、決定される。例えば、室外空気が低温高湿及び高温高湿である場合、連動制御手段（3）は、結露除去運転のモードとして除湿運転モードを選択する。具体的に、上述の夏季における運転を行う。
【００７７】
また、室外空気が高温低湿である場合、連動制御手段（3）は、結露除去運転のモードとして加湿セーブモードを選択する。具体的には、加湿エレメント（221）における加湿量を制御する。
【００７８】
−実施形態２における効果−
本実施形態における空調システムは、上記実施形態１における空調システムと略同一の効果を奏する。
【００７９】
《発明の実施形態３》
本発明の実施形態３について説明する。本実施形態の空調システムにおける調湿装置は、上記実施形態２の調湿装置（200）に対して加熱用熱交換器が追加されたものである。つまり、本実施形態の空調システムは、図５に示す第１調湿装置（250）と、図１及び図２に示す第２調湿装置（20）と、図１に示す第１及び第２空調機（30,40）と、図１に示す連動制御手段（3）とで構成されている。
【００８０】
第１調湿装置（250）は、加湿空気をペリメータゾーンに供給し、上記実施形態１の第１調湿装置（10）と同様、入力手段と第１加湿運転制御手段とを備えている。
【００８１】
図５に示すように、加熱用熱交換器（223）は、第２給気側流路（218）における給気ファン（226）と加湿エレメント（221）の間に設置されている。また、加熱用熱交換器（223）は、冷凍サイクルを行う冷媒回路に接続されており、冷媒と空気を熱交換させることで凝縮器として機能する。
【００８２】
加熱用熱交換器（223）を備える調湿装置において、室内へ供給する空気を加湿する場合には、加湿エレメント（221）へ水道水が供給され、加熱用熱交換器（223）が凝縮器となる。この場合、全熱交換器（220）を通過して第２給気側流路（218）を流れる空気は、加熱用熱交換器（223）を通過する際に加熱され、続いて加湿エレメント（221）を通過する際に加湿されてから給気口（214）を通って室内へ供給される。
【００８３】
加熱用熱交換器（223）を備える調湿装置において、全熱交換器（220）を乾燥させるための動作は、上述の通りである。つまり、室内空気と室外空気のうち比較的湿度の低い方だけを全熱交換器（220）へ供給し、これによって全熱交換器（220）を乾燥させる。一方、加湿エレメント（221）を乾燥させるための動作としては、加湿エレメント（221）から排水すると共に給気ファン（226）だけを運転し且つ加熱用熱交換器（223）で冷媒を凝縮させる動作が行われる。この状態では、ケーシング（210）内に取り込まれた室外空気が加熱用熱交換器（223）で加熱されてから加湿エレメント（221）を通過し、これによって加湿エレメント（221）を乾燥させる。
【００８４】
上記第１調湿装置（250）は、連動制御手段（3）により、加湿セーブ運転と除湿運転と暖房運転とに切り換え可能に構成されている。
【００８５】
上記加湿セーブ運転及び上記除湿運転は、各々、上記実施形態２における第１調湿装置（200）における加湿セーブ運転及び除湿運転と略同一である。
【００８６】
上記暖房運転は、加熱用熱交換器（223）を運転させる一方、加湿エレメント（221）を停止させる運転である。
【００８７】
次に、結露を除去する制御を示す。
【００８８】
本実施形態における空調システムの連動制御手段（3）は、結露発生情報が入力されると、その情報を受信して、第１調湿装置（250）に対して結露除去運転を実行させる一方、第２調湿装置（20）や第１及び第２空調機に対してはユーザが設定した運転モードを実行させる。
【００８９】
結露除去運転のモードは、室外温度と室外湿度と室内温度とに基づいて、決定される。例えば、室外空気が低温低湿である場合、連動制御手段（3）は、結露除去運転のモードとして暖房運転モードを選択する。具体的に、加熱用熱交換器（223）を運転させ、加湿エレメント（221）を停止させる。
【００９０】
また、室外空気が低温高湿及び高温高湿である場合、連動制御手段（3）は、結露除去運転のモードとして除湿運転モードを選択する。具体的には、上記実施形態２に記載の通りである。
【００９１】
また、室外空気が高温低湿である場合、連動制御手段（3）は、結露除去運転のモードとして加湿セーブモードを選択する。具体的には、上記実施形態２に記載の通りである。
【００９２】
−実施形態３における効果−
本実施形態における空調システムは、上記実施形態１における空調システムと略同一の効果を奏する。
【００９３】
《発明の実施形態４》
本発明の実施形態４について説明する。本実施形態の空調システムは、上記実施形態１の空調システム（1）と、第１調湿装置の構成を異にする。つまり、本実施形態の空調システムは、図６に示す第１調湿装置（300）と、図１及び図２に示す第２調湿装置（20）と、図１に示す第１及び第２空調機（30,40）と、図１に示す連動制御手段（3）とで構成されている。
【００９４】
第１調湿装置（300）は、加湿空気をペリメータゾーンに供給し、上記実施形態１の第１調湿装置（10）と同様、入力手段と第１加湿運転制御手段とを備えている。
【００９５】
図６に示すように、第１調湿装置（300）は、直方体状で中空のケーシング（310）を備えている。このケーシング（310）は、その内部が排気側流路（315）と給気側流路（316）とに仕切られている。このケーシング（310）では、対向する一対の側面のうちの一方に排気口（312）と外気吸込口（311）とが並んで開口し、他方に内気吸込口（313）と給気口（314）とが並んで開口している。内気吸込口（313）は排気側流路（315）の入口端に、排気口（312）は排気側流路（315）の出口端にそれぞれ接続している。一方、外気吸込口（311）は給気側流路（316）の入口端に、給気口（314）は給気側流路（316）の出口端にそれぞれ接続している。
【００９６】
ケーシング（310）の内部には、円板状に形成された吸着素子（320）が調湿用部材として設けられている。吸着素子（320）は、ハニカム状に形成されて厚み方向へ空気が通過可能に構成されており、通過する空気をゼオライト等の吸着剤と接触させる。吸着素子（320）は、排気側流路（315）と給気側流路（316）の両方を横断するように配置され、その中心軸周りに回転駆動される。
【００９７】
ケーシング（310）内の排気側流路（315）において、吸着素子（320）の上流側には加熱器である第１熱交換器（321）が設置され、吸着素子（320）の下流側には排気ファン（325）が設置されている。ケーシング（310）内の給気側流路（316）において、吸着素子（320）の上流側には加熱器である第２熱交換器（322）が設置され、吸着素子（320）の下流側には給気ファン（326）が設置されている。第１熱交換器（321）及び第２熱交換器（322）は、それぞれが通過する空気を温水と熱交換させるように構成されている。
【００９８】
上記第１調湿装置（300）は、連動制御手段（3）により、加湿セーブ運転と除湿運転と暖房運転とに切り換え可能に構成されている。
【００９９】
上記加湿セーブ運転は、第２熱交換器（322）における加湿量を制御して、室内に供給される加湿量を減少させる運転である。
【０１００】
上記除湿運転は、第２熱交換器（322）で室外空気を除湿して室内に供給する一方、第１熱交換器（321）で室内空気に水分を放出して室外に排気する運転である。
【０１０１】
上記暖房運転は、第２熱交換器（322）を運転させながら吸着素子（320）の回転を停止させる運転である。
【０１０２】
上記第２調湿装置（20）と上記第１及び第２空調機（30,40）は、各々、結露発生情報が入力されても、ユーザが設定した運転を実行させるように構成されている。
【０１０３】
上記連動制御手段（3）は、結露除去情報の入力により、第１調湿装置（200）に対して、結露除去運転を実行させる一方、第２調湿装置（20）や第１及び第２空調機（30,40）に対してはユーザが設定した運転を実行させるように構成されている。
【０１０４】
−運転動作−
上記調湿装置の運転動作について、説明する。この調湿装置は、除湿運転と加湿運転とを切り換えて行う。
【０１０５】
〈除湿運転〉
除湿運転時には、第１熱交換器（321）へ温水が供給され、第２熱交換器（322）が休止する。この除湿運転では、吸着素子（320）のうち給気側流路（316）を横断する部分についての吸着動作と、吸着素子（320）のうち排気側流路（315）を横断する部分についての再生動作とが同時に並行して行われる。
【０１０６】
給気ファン（326）を運転すると、外気吸込口（311）から給気側流路（316）へ室外空気が取り込まれる。取り込まれた室外空気は、休止中の第２熱交換器（322）を通過後に吸着素子（320）へ送られる。吸着素子（320）では、通過する室外空気中の水分が吸着剤に吸着される。吸着素子（320）で除湿された室外空気は、給気口（314）を通って室内へ供給される。
【０１０７】
排気ファン（325）を運転すると、内気吸込口（313）から排気側流路（315）へ室内空気が取り込まれる。取り込まれた室内空気は、第１熱交換器（321）を通過する間に加熱されてから吸着素子（320）へ送られる。排気側流路（315）へは、吸着素子（320）のうち給気側流路（316）を横断する間に水分を吸着した部分が移動してくる。この吸着素子（320）の部分に担持された吸着剤は、第１熱交換器（321）から供給された室内空気によって加熱され、この吸着剤から水分が脱離する。吸着剤から脱離した水分を付与された室内空気は、排気口（312）を通って室外へ排出される。また、吸着素子（320）のうち排気側流路（315）を横断する間に再生された部分は、給気側流路（316）へと移動してゆく。
【０１０８】
〈加湿運転〉
加湿運転時には、第２熱交換器（322）へ温水が供給され、第１熱交換器（321）が休止する。この加湿運転では、吸着素子（320）のうち排気側流路（315）を横断する部分についての吸着動作と、吸着素子（320）のうち給気側流路（316）を横断する部分についての再生動作とが同時に並行して行われる。
【０１０９】
排気ファン（325）を運転すると、内気吸込口（313）から排気側流路（315）へ室内空気が取り込まれる。取り込まれた室内空気は、休止中の第１熱交換器（321）を通過後に吸着素子（320）へ送られる。吸着素子（320）では、通過する室内空気中の水分が吸着剤に吸着される。吸着素子（320）に水分を奪われた室内空気は、排気口（312）を通って室外へ排出される。
【０１１０】
給気ファン（326）を運転すると、外気吸込口（311）から給気側流路（316）へ室外空気が取り込まれる。取り込まれた室外空気は、第２熱交換器（322）を通過する間に加熱されてから吸着素子（320）へ送られる。給気側流路（316）へは、吸着素子（320）のうち排気側流路（315）を横断する間に水分を吸着した部分が移動してくる。この吸着素子（320）の部分に担持された吸着剤は、第２熱交換器（322）から供給された室内空気によって加熱され、この吸着剤から水分が脱離する。吸着剤から脱離した水分を付与されて加湿された室内空気は、給気口（314）を通って室内へ供給される。また、吸着素子（320）のうち給気側流路（316）を横断する間に再生された部分は、排気側流路（315）へと移動してゆく。
【０１１１】
次に、結露を除去する制御を示す。
【０１１２】
本実施形態における空調システムの連動制御手段は、結露発生情報が入力されると、その情報を受信して、第１調湿装置（300）に対して結露除去運転を実行させる一方、第２調湿装置（20）や第１及び第２空調機（30,40）に対しては加湿運転を続行させる。
【０１１３】
結露除去運転のモードは、室外温度と室外湿度と室内温度とに基づいて、決定される。例えば、室外空気が、低温低湿である場合、連動制御手段（3）は、結露除去運転のモードとして、暖房運転モードを選択する。具体的に、第２熱交換器（322）を運転させながら吸着素子（320）の回転を停止させる。
【０１１４】
また、室外空気が低温高湿及び高温高湿である場合、連動制御手段（3）は、結露除去運転のモードとして除湿運転モードを選択する。具体的に、上述の除湿運転を行う。
【０１１５】
また、室外空気が高温低湿である場合、連動制御手段（3）は、結露除去運転のモードとして加湿セーブモードを選択する。具体的には、第２熱交換器（322）における加湿量を制御して、室内に供給される加湿量を減少させる。
【０１１６】
−実施形態４における効果−
本実施形態における空調システムは、上記実施形態１における空調システムと略同一の効果を奏する。
【０１１７】
《発明の実施形態５》
本発明の実施形態５について説明する。本実施形態の空調システムは、上記実施形態１の空調システム（1）と、第１調湿装置の構成を異にする。つまり、本実施形態の空調システムは、図７に示す第１調湿装置（400）と、図１及び図２に示す第２調湿装置（20）と、図１に示す第１及び第２空調機（30,40）と、図１に示す連動制御手段（3）と、で構成されている。
【０１１８】
第１調湿装置（400）は、加湿空気をペリメータゾーンに供給し、上記実施形態１の第１調湿装置（10）と同様、入力手段と第１加湿運転制御手段とを備えている。
【０１１９】
図７に示すように、第１調湿装置（400）は、上記実施形態２乃至４に記載の調湿装置（200,250,300）のように、直方体状で中空のケーシングに、排気側通路が形成されていない。そして、このケーシングでは、対向する一対の側面のうちの一方に外気吸込口（411）が開口し、他方に給気口（412）が開口している。
【０１２０】
ケーシングの内部には、加熱用熱交換器（415）が設けられている。加熱用熱交換器（415）の上流側には加湿エレメント（414）が設置され、加熱用熱交換器（415）の下流側には給気ファン（416）が設置されている。
【０１２１】
上記第１調湿装置（400）は、連動制御手段（3）により、加湿セーブ運転と暖房運転とに切り換え可能に構成されている。
【０１２２】
上記加湿セーブ運転は、加熱用熱交換器（415）を停止させ、加湿エレメント（414）における加湿量を制御して、室内に供給される加湿量を減少させる運転である。
【０１２３】
上記暖房運転は、加熱用熱交換器（415）を運転させて加湿エレメント（414）を停止させる。
【０１２４】
上記第２調湿装置（20）と上記第１及び第２空調機（30,40）は、各々、結露発生情報が入力されても、ユーザが設定した運転を実行させるように構成されている。
【０１２５】
上記連動制御手段（3）は、結露除去情報の入力により、第１調湿装置（400）に対して、結露除去運転を実行させる一方、第２調湿装置（20）や第１及び第２空調機（30,40）に対してはユーザが設定した運転を実行させるように構成されている。
【０１２６】
−運転動作−
上記調湿装置の加湿運転動作について、説明する。
【０１２７】
吸気ファン（416）を運転すると、外気吸込口（411）から室外空気が取り込まれる。取り込まれた室外空気は、加熱用熱交換器（415）を通過後に加湿エレメント（414）へ送られる。加湿エレメント（414）で加湿された室外空気は、給気口（412）を通って室内へ供給される。
【０１２８】
次に、結露を除去する制御を示す。
【０１２９】
本実施形態における空調システムの連動制御手段は、ユーザの入力操作により結露発生情報が入力されると、その情報を受信して、第１調湿装置（400）に対して結露除去運転を行わせる一方、第２調湿装置（20）には加湿運転を続行させる。
【０１３０】
結露除去運転のモードは、室外温度と室外湿度と室内温度とに基づいて、決定される。例えば、室外空気が、低温低湿である場合、連動制御手段（3）は、結露除去運転のモードとして、暖房運転モードを選択する。具体的に、加熱用熱交換器（415）を運転させ、加湿エレメント（414）を停止させる。
【０１３１】
また、室外空気が高温低湿である場合、連動制御手段（3）は、結露除去運転のモードとして加湿セーブモードを選択する。具体的には、加熱用熱交換器（415）を停止させ、加湿エレメント（414）における加湿量を制御して、室内に供給される加湿量を減少させる。
【０１３２】
−実施形態５における効果−
本実施形態における空調システムは、上記実施形態１における空調システムと略同一の効果を奏する。
【０１３３】
《その他の実施形態》
上記実施形態１では、第１及び第２調湿装置（10,20）は、各々、次のように構成されていてもよい。ここでは、第１及び第２調湿装置（10,20）の変形例について説明する。
【０１３４】
−第１変形例−
図８に示すように、第１変形例の第１及び第２調湿装置（10,20）は、各々、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。この冷媒回路（100）は、熱源手段を構成している。第１吸着素子（111）及び第２吸着素子（112）は、ゼオライト等の吸着剤を備えており、それぞれ吸着部材を構成している。また、各吸着素子（111,112）には多数の空気通路が形成されており、この空気通路を通過する際に空気が吸着剤と接触する。
【０１３５】
この調湿装置（10,20）は、各々、第１動作と第２動作を繰り返す。図８(Ａ)に示すように、第１動作中の調湿装置（10,20）は、各々、凝縮器（102）で加熱された空気を第１吸着素子（111）へ供給して吸着剤を再生する一方、第２吸着素子（112）に水分を奪われた空気を蒸発器（104）で冷却する。また、図８(Ｂ)に示すように、第２動作中の調湿装置（10,20）は、各々、凝縮器（102）で加熱された空気を第２吸着素子（112）へ供給して吸着剤を再生する一方、第１吸着素子（111）に水分を奪われた空気を蒸発器（104）で冷却する。そして、この調湿装置（10,20）は、各々、吸着素子（111,112）を通過する際に除湿された空気を室内へ供給する除湿運転と、吸着素子（111,112）を通過する際に加湿された空気を室内へ供給する加湿運転とを切り換えて行う。
【０１３６】
−第２変形例−
図９に示すように、第２変形例の調湿装置（10,20）は、各々、調湿ユニット（150）を備えている。この調湿ユニット（150）は、ペルチェ素子（153）と一対の吸着フィン（151,152）とを備えている。吸着フィン（151,152）は、いわゆるヒートシンクの表面にゼオライト等の吸着剤を担持させたものである。この吸着フィン（151,152）は、吸着部材を構成している。ペルチェ素子（153）は、その一方の面に第１吸着フィン（151）が、他方の面に第２吸着フィン（152）がそれぞれ接合されている。ペルチェ素子（153）に直流を流すと、２つの吸着フィン（151,152）の一方が吸熱側になって他方が放熱側になる。このペルチェ素子（153）は、熱源手段を構成している。
【０１３７】
この調湿装置（10,20）は、各々、第１動作と第２動作を繰り返す。第１動作中の調湿ユニット（150）は、放熱側となった第１吸着フィン（151）の吸着剤を再生して空気を加湿する一方、吸熱側となった第２吸着フィン（152）の吸着剤に水分を吸着させて空気を除湿する。また、第１動作中の調湿ユニット（150）は、放熱側となった第２吸着フィン（152）の吸着剤を再生して空気を加湿する一方、吸熱側となった第１吸着フィン（151）の吸着剤に水分を吸着させて空気を除湿する。そして、この調湿装置（10,20）は、各々、調湿ユニット（150）を通過する際に除湿された空気を室内へ供給する除湿運転と、調湿ユニット（150）を通過する際に加湿された空気を室内へ供給する加湿運転とを切り換えて行う。
【０１３８】
また、上記実施形態２乃至５では、空調システムは、以下に示すように構成されていても良い。
【０１３９】
第１調湿装置（200,250,300,400）が、結露発生情報が入力されてもユーザが設定した運転を実行し、第１空調機（30）が、結露除去運転を実行するように構成されている。
【０１４０】
または、第１調湿装置（200,250,300,400）及び第１空調機（30）が、結露除去運転を実行するように構成されている。
【０１４１】
なお、以上の実施形態は、本質的に好ましい例示であって、本発明、その適用物、あるいはその用途の範囲を制限することを意図するものではない。
【産業上の利用可能性】
【０１４２】
以上説明したように、本発明は、空調システム、特に、結露除去について有用である。
【図面の簡単な説明】
【０１４３】
【図１】実施形態１の空調システムを示す模式図である。
【図２】実施形態１の冷媒回路の構成を示す配管系統図であって、(Ａ)は第１動作中の動作を示すものであり、(Ｂ)は第２動作中の動作を示すものである。
【図３】吸着熱交換器の概略斜視図である。
【図４】実施形態２の調湿装置の概略構成図である。
【図５】実施形態３の調湿装置の概略構成図である。
【図６】実施形態４の調湿装置の概略構成図である。
【図７】実施形態５の調湿装置の概略構成図である。
【図８】その他の実施形態の第１変形例における調湿装置の概略構成図であって、(Ａ)は第１動作中の動作を示すものであり、(Ｂ)は第２動作中の動作を示すものである。
【図９】その他の実施形態の第２変形例における調湿ユニットの概略斜視図である。
【符号の説明】
【０１４４】
1,5   空調システム
3,7   連動制御手段
10  第１調湿装置
11,21,31,41  入力手段
20  第２調湿装置
30  空調機（第１空調機）
61  第１加湿運転制御手段
71  第２加湿運転制御手段
81  冷暖房運転制御手段（第１冷暖房運転制御手段）